(57)【特許請求の範囲】
【請求項１】
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
１つの単一の出力信号のみを有し、および前記第１の入力信号を受信し、前記第１の入力信号の位相から第１の量だけ移相された第１の移相信号に対応する前記単一の出力信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、ここにおいて、前記第１の量は、前記第２の量とは異なる、
を備えるデバイス。
【請求項２】
前記第１のハイブリッドは第１の９０度ハイブリッドを備える、および、前記第２のハイブリッドは第２の９０度ハイブリッドを備える、請求項１に記載のデバイス。
【請求項３】
前記第１の量は約９０度である、請求項１に記載のデバイス。
【請求項４】
前記第２の量は約９０度である、請求項１に記載のデバイス。
【請求項５】
前記第１の入力信号が０度の位相を有するとき、前記第１の増幅器は、０度の位相を有する少なくとも１つの高調波を含む第１の増幅信号を出力し、
前記第１の入力信号が１８０度の位相を有するとき、前記第１の増幅器は、１８０度の位相を有する少なくとも１つの高調波を含む前記第１の増幅信号を出力し、
前記第２の入力信号が０度の位相を有するとき、前記第２の増幅器は、０度の位相を有する少なくとも１つの高調波を含む第２の増幅信号を出力し、
前記第２の入力信号が１８０度の位相を有するとき、前記第２の増幅器は、１８０度の位相を有する少なくとも１つの高調波を含む前記第２の増幅信号を出力する、
請求項１に記載のデバイス。
【請求項６】
前記第１の移相信号が９０度の位相または２７０度の位相を有するとき、前記第３の増幅器は、９０度の位相を有する少なくとも１つの高調波と２７０度の位相を有する少なくとも１つの高調波とを含む第３の増幅信号を出力し、
前記第２の移相信号が９０度の位相または２７０度の位相を有するとき、前記第４の増幅器は、９０度の位相を有する少なくとも１つの高調波と２７０度の位相を有する少なくとも１つの高調波とを含む第４の増幅信号を出力する、
請求項１に記載のデバイス。
【請求項７】
前記第１のハイブリッドの第１の出力はミキサ回路の第１の局部発振器入力に結合される、および、前記第２のハイブリッドの第１の出力は前記ミキサ回路の第２の局部発振器入力に結合される、請求項１に記載のデバイス。
【請求項８】
前記第１のハイブリッドの第２の出力は第１の終端抵抗を介して接地電位に結合される、および、前記第２のハイブリッドの第２の出力は第２の終端抵抗を介して前記接地電位に結合される、請求項７に記載のデバイス。
【請求項９】
前記第１のハイブリッドの第１の出力信号は前記第１の入力信号の第３の高調波に相当する、前記第２のハイブリッドの第１の出力信号は前記第２の入力信号の第３の高調波に相当する、前記第１のハイブリッドの第２の出力信号は前記第１の入力信号の第１の高調波に相当する、および、前記第２のハイブリッドの第２の出力信号は前記第２の入力信号の第１の高調波に相当する、請求項１に記載のデバイス。
【請求項１０】
前記第１のハイブリッドの第２の出力は第２のミキサ回路の第１の局部発振器入力に結合される、および、前記第２のハイブリッドの第２の出力は前記第２のミキサ回路の第２の局部発振器入力に結合される、請求項１に記載のデバイス。
【請求項１１】
第１のミキサ回路の出力は前記第２のミキサ回路の入力に結合される、請求項１０に記載のデバイス。
【請求項１２】
前記第２の入力信号は前記第１の入力信号から１８０度移相される、請求項１に記載のデバイス。
【請求項１３】
前記第１のハイブリッドと前記第２のハイブリッドとを含む複数のハイブリッドと、
前記第１の増幅器と前記第２の増幅器を含とを含む複数の増幅器と、ここにおいて、前記複数のハイブリッドの各ハイブリッドの各入力は、前記複数の増幅器の単一の対応する増幅器の出力に接続される、
をさらに備える、請求項１に記載のデバイス。
【請求項１４】
前記第１の入力は、前記第１の増幅器によって出力される信号を受信するように構成される、請求項１に記載のデバイス。
【請求項１５】
第１の入力信号を第１の増幅器で受信し、前記第１の入力信号を増幅して第１の増幅信号を生成することと、ここにおいて、前記第１の増幅信号は、前記第１の増幅器によって出力され、第１のハイブリッドの第１の入力によって受信される、
第２の入力信号を第２の増幅器で受信し、前記第２の入力信号を増幅して第２の増幅信号を生成することと、ここにおいて、前記第２の増幅信号は、前記第２の増幅器によって出力され、第２のハイブリッドの第１の入力によって受信される、
１つの単一の出力信号のみを有する前記第１の入力信号を第１の移相器で受信することと、
前記第１の移相器によって前記第１の入力信号を移相して第１の移相信号に対応する前記単一の出力信号を生成することと、
前記第１の移相信号に対応する単一の出力信号を前記第１の移相器によって出力することと、
前記第１の移相信号に対応する前記単一の出力信号を第３の増幅器の入力で受信することと、ここにおいて、前記第３の増幅器の出力は前記第２のハイブリッドの第２の入力に結合される、
前記第２の入力信号を第２の移相器で受信することと、
前記第２の入力信号を移相して第２の移相信号を生成することと、ここにおいて、前記第１の移相信号に対応する前記単一の出力信号は前記第１の入力信号の位相から第１の量だけ移相される、および、前記第２の移相信号は前記第２の入力信号の位相から第２の量だけ移相される、ここにおいて、前記第１の量は、前記第２の量とは異なる、
前記第２の移相信号を前記第２の移相器によって出力することと、
前記第２の移相信号を第４の増幅器の入力で受信することと、ここにおいて、前記第４の増幅器の出力は前記第１のハイブリッドの第２の入力に結合される、
を備える方法。
【請求項１６】
前記第１の量は約９０度である、および、前記第２の量は約９０度である、請求項１５に記載の方法。
【請求項１７】
前記第１のハイブリッドの第１の出力信号は前記第１の入力信号の第３の高調波に相当する、前記第２のハイブリッドの第１の出力信号は前記第２の入力信号の第３の高調波に相当する、前記第１のハイブリッドの第２の出力信号は前記第１の入力信号の第１の高調波に相当する、および、前記第２のハイブリッドの第２の出力信号は前記第２の入力信号の第１の高調波に相当する、請求項１５に記載の方法。
【請求項１８】
前記第１のハイブリッドの前記第１の出力信号は第１のミキサ回路の第１の局部発振器入力に供給される、および前記第２のハイブリッドの前記第１の出力信号は前記第１のミキサ回路の第２の局部発振器入力に供給される、請求項１７に記載の方法。
【請求項１９】
前記第１のハイブリッドの前記第２の出力信号は第２のミキサ回路の第１の局部発振器入力に供給される、および、前記第２のハイブリッドの前記第２の出力信号は前記第２のミキサ回路の第２の局部発振器入力に供給される、請求項１８に記載の方法。
【請求項２０】
前記第１のミキサ回路の出力信号は前記第２のミキサ回路に供給される、ならびに、前記第１のミキサ回路は、ミキサ入力信号、前記第１のハイブリッドの前記第１の出力信号、および前記第２のハイブリッドの前記第１の出力信号に基づいて、前記第１のミキサ回路の前記出力信号を生成する、請求項１９に記載の方法。
【請求項２１】
前記第１のハイブリッドの前記第２の出力信号は、接地に結合された第１の終端抵抗に供給される、および、前記第２のハイブリッドの前記第２の出力信号は、前記接地に結合された第２の終端抵抗に供給される、請求項１８に記載の方法。
【請求項２２】
第１の出力信号と第２の出力信号とを生成するための第１の手段と、ここにおいて、前記第１の出力信号は前記第２の出力信号から移相される、ここにおいて、前記生成するための第１の手段の第１の入力は、増幅するための第１の手段の出力に結合される、およびここにおいて、前記増幅するための第１の手段は、第１の入力信号を受信するように構成される、
第３の出力信号と第４の出力信号とを生成するための第２の手段と、ここにおいて、前記第３の出力信号が前記第４の出力信号から移相される、ここにおいて、前記生成するための第２の手段の第１の入力は、増幅するための第２の手段の出力に結合される、およびここにおいて、前記増幅するための第２の手段は、第２の入力信号を受信するように構成される、
１つの単一の出力信号のみを有し、および前記第１の入力信号を受信するように構成された移相するための第１の手段と、ここにおいて、前記移相するための第１の手段の出力は、増幅するための第３の手段の入力に結合される、ここにおいて、前記増幅するための第３の手段の出力は、前記生成するための第２の手段の第２の入力に結合される、およびここにおいて、前記移相するための第１の手段は、前記第１の入力信号の位相から第１の量だけ移相された第１の移相信号に対応する前記単一の出力信号を出力するように構成される、
前記第２の入力信号を受信するように構成された移相するための第２の手段と、ここにおいて、前記移相するための第２の手段の出力は、増幅するための第４の手段の入力に結合される、およびここにおいて、前記増幅するための第４の手段の出力は、前記生成するための第１の手段の第２の入力に結合される、ここにおいて、前記移相するための第２の手段は、前記第２の入力信号の位相から第２の量だけ移相された第２の移相信号を出力するように構成される、ここにおいて、前記第１の量は、前記第２の量とは異なる、
を備える装置。
【請求項２３】
前記第１の量は約９０度である、および、前記第２の量は約９０度である、請求項２２に記載の装置。
【請求項２４】
前記生成するための第１の手段の第１の出力信号は前記第１の入力信号の第３の高調波に相当する、前記生成するための第２の手段の第１の出力信号は前記第２の入力信号の第３の高調波に相当する、前記生成するための第１の手段の第２の出力信号は前記第１の入力信号の第１の高調波に相当する、および、前記生成するための第２の手段の第２の出力信号は前記第２の入力信号の第１の高調波に相当する、請求項２２に記載の装置。
【請求項２５】
第１のハイブリッドを用いて、第１の対の入力信号を介して受信された電力を分割することに基づいて第１の対の出力信号を生成する手順と、ここにおいて、前記第１のハイブリッドの第１の入力は第１の増幅器の出力に結合される、およびここにおいて、前記第１の増幅器は第１の入力信号を受信するように構成される、
第２のハイブリッドを用いて、第２の対の入力信号を介して受信された電力を分割することに基づいて第２の対の出力信号を生成する手順と、ここにおいて、前記第２のハイブリッドの第１の入力は第２の増幅器の出力に結合される、およびここにおいて、前記第２の増幅器は第２の入力信号を受信するように構成される、
１つの単一の出力信号のみを有する第１の移相器を用いて、前記第１の入力信号を受信し、前記第１の入力信号の位相から第１の量だけ移相された第１の移相信号に対応する前記単一の出力信号を出力する手順と、ここにおいて、前記第１の移相器の出力は第３の増幅器の入力に結合される、およびここにおいて、前記第３の増幅器の出力は前記第２のハイブリッドの第２の入力に結合される、
第２の移相器を用いて、前記第２の入力信号を受信し、前記第２の入力信号の位相から第２の量だけ移相された第２の移相信号を出力する手順と、ここにおいて、前記第２の移相器の出力は第４の増幅器の入力に結合される、およびここにおいて、前記第４の増幅器の出力は前記第１のハイブリッドの第２の入力に結合される、ここにおいて、前記第１の量は、前記第２の量とは異なる、
をコンピュータに実行させるプログラム。
【請求項２６】
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、ここにおいて、前記第４の増幅器の出力は前記第１のハイブリッドの第２の入力に結合される、およびここにおいて、前記第１の量は、前記第２の量とは異なる、
を備えるデバイス。
【請求項２７】
前記第１のハイブリッドは第１の９０度ハイブリッドを備える、および、前記第２のハイブリッドは第２の９０度ハイブリッドを備える、請求項２６に記載のデバイス。
【請求項２８】
前記第１の量は約９０度である、請求項２６に記載のデバイス。
【請求項２９】
前記第２の量は約９０度である、請求項２６に記載のデバイス。
【請求項３０】
前記第１の入力信号が０度の位相を有するとき、前記第１の増幅器は、０度の位相を有する少なくとも１つの高調波を含む第１の増幅信号を出力し、
前記第１の入力信号が１８０度の位相を有するとき、前記第１の増幅器は、１８０度の位相を有する少なくとも１つの高調波を含む前記第１の増幅信号を出力し、
前記第２の入力信号が０度の位相を有するとき、前記第２の増幅器は、０度の位相を有する少なくとも１つの高調波を含む第２の増幅信号を出力し、
前記第２の入力信号が１８０度の位相を有するとき、前記第２の増幅器は、１８０度の位相を有する少なくとも１つの高調波を含む前記第２の増幅信号を出力する、
請求項２６に記載のデバイス。
【請求項３１】
前記第１の移相信号が９０度の位相または２７０度の位相を有するとき、前記第３の増幅器は、９０度の位相を有する少なくとも１つの高調波と２７０度の位相を有する少なくとも１つの高調波とを含む第３の増幅信号を出力し、
前記第２の移相信号が９０度の位相または２７０度の位相を有するとき、前記第４の増幅器は、９０度の位相を有する少なくとも１つの高調波と２７０度の位相を有する少なくとも１つの高調波とを含む第４の増幅信号を出力する、
請求項２６に記載のデバイス。
【請求項３２】
前記第１のハイブリッドの第１の出力はミキサ回路の第１の局部発振器入力に結合される、および、前記第２のハイブリッドの第１の出力は前記ミキサ回路の第２の局部発振器入力に結合される、請求項２６に記載のデバイス。
【請求項３３】
第１の増幅器、第２の増幅器、第３の増幅器、および第４の増幅器を含む複数の増幅器と、ここにおいて、前記第１の増幅器は、第１の入力信号を受信するように構成され、前記第２の増幅器は、第２の入力信号を受信するように構成される、
第１のハイブリッドと第２のハイブリッドとを含む複数のハイブリッドと、ここにおいて、前記第１のハイブリッドは、第１の対の入力信号を介して受信された電力を分割することに基づいて第１の対の出力信号を生成するように構成され、前記第１のハイブリッドの第１の入力は、前記第１の増幅器の出力に結合され、ここにおいて、前記第２のハイブリッドは、第２の対の入力信号を介して受信された電力を分割することに基づいて第２の対の出力信号を生成するように構成され、ここにおいて、前記第２のハイブリッドの第１の入力は、前記第２の増幅器の出力に結合され、およびここにおいて、前記複数のハイブリッドの各ハイブリッドの各入力は、前記複数の増幅器の単一の対応する増幅器の出力に接続される、
第１の入力信号を受信し、前記第１の入力信号の位相から第１の量だけ移相された第１の移相信号を出力するように構成された第１の移相器と、ここにおいて、前記第１の移相器の出力は、前記第３の増幅器の入力に結合され、前記第３の増幅器の出力は、前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、ここにおいて、前記第１の量は、前記第２の量とは異なる、
を備えるデバイス。
【請求項３４】
前記第１のハイブリッドは第１の９０度ハイブリッドを備える、および、前記第２のハイブリッドは第２の９０度ハイブリッドを備える、請求項３３に記載のデバイス。
【請求項３５】
前記第１の入力信号が０度の位相を有するとき、前記第１の増幅器は、０度の位相を有する少なくとも１つの高調波を含む第１の増幅信号を出力し、
前記第１の入力信号が１８０度の位相を有するとき、前記第１の増幅器は、１８０度の位相を有する少なくとも１つの高調波を含む前記第１の増幅信号を出力し、
前記第２の入力信号が０度の位相を有するとき、前記第２の増幅器は、０度の位相を有する少なくとも１つの高調波を含む第２の増幅信号を出力し、
前記第２の入力信号が１８０度の位相を有するとき、前記第２の増幅信号は、１８０度の位相を有する少なくとも１つの高調波を含む前記第２の増幅信号を出力する、
請求項３３に記載のデバイス。
【請求項３６】
第１の出力信号と第２の出力信号とを生成するための第１の手段と、ここにおいて、前記第１の出力信号は前記第２の出力信号から移相される、ここにおいて、前記生成するための第１の手段の第１の入力は、増幅するための第１の手段の出力に結合される、およびここにおいて、前記増幅するための第１の手段は、第１の入力信号を受信するように構成される、
第３の出力信号と第４の出力信号とを生成するための第２の手段と、ここにおいて、前記第３の出力信号が前記第４の出力信号から移相される、ここにおいて、前記生成するための第２の手段の第１の入力は、増幅するための第２の手段の出力に結合される、およびここにおいて、前記増幅するための第２の手段は、第２の入力信号を受信するように構成される、
前記第１の入力信号を受信するように構成された移相するための第１の手段と、ここにおいて、前記移相するための第１の手段の出力は、増幅するための第３の手段の入力に結合される、ここにおいて、前記増幅するための第３の手段の出力は、前記生成するための第２の手段の第２の入力に結合される、およびここにおいて、前記移相するための第１の手段は、前記第１の入力信号の位相から第１の量だけ移相された第１の移相信号に出力するように構成される、
前記第２の入力信号を受信するように構成された移相するための第２の手段と、ここにおいて、前記移相するための第２の手段の出力は、増幅するための第４の手段の入力に結合される、およびここにおいて、前記増幅するための第４の手段の出力は、前記生成するための第１の手段の第２の入力に結合され、ここにおいて、前記移相するための第２の手段は、前記第２の入力信号の位相から第２の量だけ移相された第２の移相信号を出力するように構成され、前記第１の量は、前記第２の量とは異なる、
を備えるデバイス。
【請求項３７】
前記生成するための第１の手段の第１の出力信号は前記第１の入力信号の第３の高調波に相当する、前記生成するための第２の手段の第１の出力信号は前記第２の入力信号の第３の高調波に相当する、前記生成するための第１の手段の第２の出力信号は前記第１の入力信号の第１の高調波に相当する、および、前記生成するための第２の手段の第２の出力信号は前記第２の入力信号の第１の高調波に相当する、請求項３６に記載のデバイス。
【請求項３８】
第１のハイブリッドを用いて、第１の対の入力信号を介して受信された電力を分割することに基づいて第１の対の出力信号を生成する手順と、ここにおいて、前記第１のハイブリッドの第１の入力は第１の増幅器の出力に結合される、およびここにおいて、前記第１の増幅器は第１の入力信号を受信するように構成される、
第２のハイブリッドを用いて、第２の対の入力信号を介して受信された電力を分割することに基づいて第２の対の出力信号を生成する手順と、ここにおいて、前記第２のハイブリッドの第１の入力は第２の増幅器の出力に結合される、およびここにおいて、前記第２の増幅器は第２の入力信号を受信するように構成される、
第１の移相器を用いて、前記第１の入力信号を受信し、前記第１の入力信号の位相から第１の量だけ移相された第１の移相信号を出力する手順と、ここにおいて、前記第１の移相器の出力は第３の増幅器の入力に結合される、およびここにおいて、前記第３の増幅器の出力は前記第２のハイブリッドの第２の入力に結合される、
第２の移相器を用いて、前記第２の入力信号を受信し、前記第２の入力信号の位相から第２の量だけ移相された第２の移相信号を出力する手順と、ここにおいて、前記第２の移相器の出力は第４の増幅器の入力に結合される、およびここにおいて、前記第４の増幅器の出力は前記第１のハイブリッドの第２の入力に結合される、ここにおいて、前記第１の量は、前記第２の量とは異なる、
をコンピュータに実行させるプログラム。
【請求項３９】
前記第１の量は約９０度である、請求項３８に記載のプログラム。
【請求項４０】
前記第２の量は約９０度である、請求項３８に記載のプログラム。
【発明の詳細な説明】
【技術分野】
【０００１】
[0001]本開示は、一般に、高調波抽出および除去に関連する。
【背景技術】
【０００２】
[0002]技術の進歩の結果、より小型でより強力なコンピューティングデバイスが作製されている。たとえば、現在、ポータブルワイヤレス電話、携帯情報端末（ＰＤＡ）、および小型軽量でユーザによって容易に携えられるページングデバイスなどのワイヤレスコンピューティングデバイスを含む様々なポータブルコンピューティングデバイスが存在する。より具体的には、セルラー電話およびインターネットプロトコル（ＩＰ）電話などのポータブルワイヤレス電話は、ワイヤレスネットワークを介して音声とデータパケットとを通信することができる。ポータブルワイヤレス電話は、１ミリメートルから１０ミリメートルの範囲（すなわち、ミリメートル波範囲）の波長を有する信号も送信および／または受信することができる。さらに、多数のそのようなワイヤレス電話としては、その中に組み込まれる他のタイプのデバイスがある。たとえば、ワイヤレス電話としては、デジタルスチルカメラ、デジタルビデオカメラ、デジタルレコーダ、およびオーディオファイルプレーヤもあり得る。また、そのようなワイヤレス電話は、インターネットにアクセスするために使用できる、ウェブブラウザアプリケーションなどの、ソフトウェアアプリケーションを含む、実行可能な命令を処理することができる。したがって、これらのワイヤレス電話は、かなりの計算能力を含むことができる。
【０００３】
[0003]ワイヤレス電話などのコンピューティングデバイスは、特定の周波数を有する信号を使用してよい。たとえば、ある周波数を有する信号は、信号処理（たとえば、符号化、復号化、変調、復調などの）動作中に使用されてもよい。コンピューティングデバイスは、抑圧周波数成分を有する信号も使用してよい。信号を生成するために、様々な方法がコンピューティングデバイスによって実施され得る。たとえば、特定の周波数を有する信号を生成する方法が、別の信号の特定の高調波成分を抽出することを含むことがある。別の例として、抑圧周波数成分を有する信号を生成する方法が、別の信号の特定の周波数成分を除去することを含むことがある。
【０００４】
[0004]従来のフィルタリング手法は、高周波数（たとえば、４５ＧＨｚまたは６０ＧＨｚ）信号生成のために、実施するには困難で費用がかかることがある。その上、高調波抽出方法は、プロセス、電圧、および温度（ＰＶＴ：process, voltage and temperature）変動の影響を受けやすいことがある。
【発明の概要】
【０００５】
[0005]高調波抽出（たとえば、特定の周波数を有する信号を生成するために）と、高調波除去（たとえば、特定の抑圧周波数成分を有する信号を生成するために）とを実行するシステムおよび方法が開示される。ハイブリッド回路は、本明細書では「ハイブリッド」とも呼ばれ、入力信号の高調波成分を抽出することによって特定の周波数を有する第１の出力信号を生成するために使用され得る。ハイブリッド回路は、入力信号の特定の高調波成分を実質的に除去することによって抑圧周波数成分を有する第２の出力信号を生成するためにも使用され得る。ハイブリッド回路は、ハイブリッド回路の入力に供給される信号の対応する高調波成分間位相差に基づいて、入力信号の特定の高調波成分を抽出および／または除去することができる。たとえば、ハイブリッド回路は、第１の非線形増幅器からハイブリッド回路の第１の入力で第１の信号を受信し、第２の非線形増幅器からハイブリッド回路の第２の入力で第２の信号を受信することができる。第１の非線形増幅器は、入力信号を受信し、ハイブリッド回路の第１の入力に供給される第１の信号を生成することができる。第２の非線形増幅器は、移相回路から移相信号を受信し、ハイブリッド回路の第２の入力に供給される第２の信号を生成することができる。移相回路は、第１の非線形増幅器に供給される同じ入力信号を受信し、移相信号を生成することができる。あるいは、移相回路は、第１の非線形増幅器に供給される入力信号に関連した第２の入力信号を受信し、移相信号を生成することができる。たとえば、第１の非線形増幅器に供給される入力信号および移相回路に供給される第２の入力信号は、差動入力信号の第１の信号および第２の信号とすることができる。
【０００６】
[0006]入力信号は、移相することなく第１の非線形増幅器に供給されるので、第１の非線形増幅器によって生成される第１の信号の高調波成分は、実質的に同じ位相を有することができる。一方、移相信号に基づいて第２の非線形増幅器によって生成される第２の信号の高調波成分は、異なる位相を有することができる。したがって、第１の信号および第２の信号の対応する高調波成分は、位相差を有することができる。たとえば、第１の非線形増幅器によって生成される第１の信号の第１の高調波成分と第２の非線形増幅器によって生成される第２の信号の第１の高調波成分は、第１の位相差を有することができる。第１の信号の第３の高調波成分と第２の信号の第３の高調波成分は、第１の位相差と異なる第２の位相差を有することができる。第１の信号と第２の信号の対応する高調波成分の位相差に基づいて、ハイブリッド回路は、第１の信号および第２の信号の第３の高調波成分に相当する周波数を有する第１の出力信号を生成することができる。ハイブリッド回路は、第１の信号および第２の信号の第３の高調波成分に相当する抑圧周波数成分を有する第２の出力信号も生成することができる。２つのハイブリッド回路を使用することによって、特定の周波数を有する第１の差動出力信号および抑圧周波数成分を有する第２の差動出力信号が生成され得る。
【０００７】
[0007]特定の一実施形態では、デバイスは、第１の対の入力信号を介して受信された電力を分割することに基づいて第１の対の出力信号を生成するように構成された第１のハイブリッドを含む。第１のハイブリッドの第１の入力は、第１の増幅器の出力に結合され得る。第１の増幅器は、第１の入力信号を受信するように構成され得る。デバイスは、第２の対の入力信号を介して受信された電力を分割することに基づいて第２の対の出力信号を生成するように構成された第２のハイブリッドも含むことができる。第２のハイブリッドの第１の入力は、第２の増幅器の出力に結合され得る。第２の増幅器は、第２の入力信号を受信するように構成され得る。デバイスは、第１の入力信号を受信し、第１の入力信号の位相から第１の量だけ移相された第１の移相信号を出力するように構成された第１の移相器をさらに含むことができる。第１の移相器の出力は第３の増幅器の入力に結合され得、第３の増幅器の出力は第２のハイブリッドの第２の入力に結合され得る。デバイスは、第２の入力信号を受信し、第２の入力信号の位相から第２の量だけ移相された第２の移相信号を出力するように構成された第２の移相器も含むことができる。第２の移相器の出力は第４の増幅器の入力に結合され得、第４の増幅器の出力は第１のハイブリッドの第２の入力に結合され得る。
【０００８】
[0008]別の特定の一実施形態では、デバイスは、第１の対の入力信号を介して受信された電力を分割することに基づいて第１の対の出力信号を生成するように構成された第１のハイブリッドを含む。第１のハイブリッドの第１の入力は、第１の増幅器の出力に結合され得る。第１の増幅器は、第１の入力信号を受信するように構成され得る。デバイスは、第２の対の入力信号を介して受信された電力を分割することに基づいて第２の対の出力信号を生成するように構成された第２のハイブリッドも含むことができる。第２のハイブリッドの第１の入力は、第２の増幅器の出力に結合され得る。第２の増幅器は、第２の入力信号を受信するように構成され得る。デバイスは、第１の入力信号を受信し、第１の入力信号の位相から第１の量だけ移相された第１の移相信号を出力するように構成された第１の移相器をさらに含むことができる。第１の移相器の出力は第３の増幅器の入力に結合され得、第３の増幅器の出力は第１のハイブリッドの第２の入力に結合される。デバイスは、第２の入力信号を受信し、第２の入力信号の位相から第２の量だけ移相された第２の移相信号を出力するように構成された第２の移相器も含むことができる。第２の移相器の出力は第４の増幅器の入力に結合され得、第４の増幅器の出力は第２のハイブリッドの第２の入力に結合され得る。
【０００９】
[0009]別の特定の実施形態では、方法は、第１の増幅器で第１の入力信号を受信し、この第１の入力信号を増幅して第１の増幅信号を生成することを含む。第１の増幅信号は、第１の増幅器によって出力され、第１のハイブリッドの第１の入力に結合される。方法は、第２の増幅器で第２の入力信号を受信し、この第２の入力信号を増幅して第２の増幅信号を生成することを含むことができる。第２の増幅信号は、第２の増幅器によって出力され、第２のハイブリッドの第１の入力に結合される。方法は、第１の移相器で第１の入力信号を受信し、この第１の入力信号を移相して第１の移相信号を生成することをさらに含むことができる。第１の移相信号は、第１の移相器によって出力され、第３の増幅器の入力に結合され、第３の増幅器の出力は、第２のハイブリッドの第２の入力に結合され得る。方法は、第２の移相器で第２の入力信号を受信し、第２の入力信号を移相して第２の移相信号を生成することも含むことができる。第２の移相信号は、第２の移相器によって出力され、第４の増幅器の入力に結合され、第４の増幅器の出力は、第１のハイブリッドの第２の入力に結合され得る。
【００１０】
[0010]別の特定の実施形態では、方法は、第１の増幅器で第１の入力信号を受信し、この第１の入力信号を増幅して第１の増幅信号を生成することを含む。第１の増幅信号は、第１の増幅器によって出力され、第１のハイブリッドの第１の入力に結合される。方法は、第２の増幅器で第２の入力信号を受信し、この第２の入力信号を増幅して第２の増幅信号を生成することを含むことができる。第２の増幅信号は、第２の増幅器によって出力され、第２のハイブリッドの第１の入力に結合される。方法は、第１の移相器で第１の入力信号を受信し、第１の入力信号を移相して第１の移相信号を生成することをさらに含むことができる。第１の移相信号は、第１の移相器によって出力され、第３の増幅器の入力に結合され、第３の増幅器の出力は、第１のハイブリッドの第２の入力に結合され得る。方法は、第２の移相器で第２の入力信号を受信し、第２の入力信号を移相して第２の移相信号を生成することも含むことができる。第２の移相信号は、第２の移相器によって出力され、第４の増幅器の入力に結合され、第４の増幅器の出力は、第２のハイブリッドの第２の入力に結合され得る。
【００１１】
[0011]別の特定の実施形態では、装置は、第１の出力信号と第２の出力信号とを生成するための第１の手段を含む。第１の出力信号は、第２の出力信号から移相され得る。生成するための第１の手段の第１の入力は、増幅するための第１の手段の出力に結合され得る。増幅するための第１の手段は、第１の入力信号を受信するように構成され得る。装置は、第３の出力信号と第４の出力信号とを生成するための第２の手段も含むことができる。第３の出力信号は、第４の出力信号から移相され得る。生成するための第２の手段の第１の入力は、増幅するための第２の手段の出力に結合され得る。増幅するための第２の手段は、第２の入力信号を受信するように構成され得る。装置は、第１の入力信号を受信するように構成された、移相するための第１の手段をさらに含むことができる。移相するための第１の手段の出力は、増幅するための第３の手段の入力に結合され得、増幅するための第３の手段の出力は、生成するための第２の手段の第２の入力に結合され得る。装置は、第２の入力信号を受信するように構成された、移相するための第２の手段も含むことができる。移相するための第２の手段の出力は、増幅するための第４の手段の入力に結合され得、増幅するための第４の手段の出力は、生成するための第１の手段の第２の入力に結合され得る。
【００１２】
[0012]別の特定の実施形態では、装置は、第１の出力信号と第２の出力信号とを生成するための第１の手段を含む。第１の出力信号は、第２の出力信号から移相され得る。生成するための第１の手段の第１の入力は、増幅するための第１の手段の出力に結合され得る。増幅するための第１の手段は、第１の入力信号を受信するように構成され得る。装置は、第３の出力信号と第４の出力信号とを生成するための第２の手段も含むことができる。第３の出力信号は、第４の出力信号から移相され得る。生成するための第２の手段の第１の入力は、増幅するための第２の手段の出力に結合され得、増幅するための第２の手段は、第２の入力信号を受信するように構成され得る。装置は、第１の入力信号を受信するように構成された、移相するための第１の手段をさらに含むことができる。移相するための第１の手段の出力は、増幅するための第３の手段の入力に結合され得、増幅するための第３の手段の出力は、生成するための第１の手段の第２の入力に結合され得る。装置は、第２の入力信号を受信するように構成された、移相するための第２の手段も含むことができる。移相するための第２の手段の出力は、増幅するための第４の手段の入力に結合され得、増幅するための第４の手段の出力は、生成するための第２の手段の第２の入力に結合され得る。
【００１３】
[0013]開示する実施形態のうち少なくとも１つによって提供される１つの特定の利点は、入力信号の高調波成分の分離である。入力信号の高調波成分を分離することによって、入力信号の所望の高調波成分が抽出され得、入力信号の特定の高調波成分が除去され得る。
【００１４】
[0014]本開示の他の態様、利点、および特徴は、以下の項すなわち「図面の簡単な説明」、「発明を実施するための形態」、および「特許請求の範囲」を含めた出願全体の検討の後、明らかになるであろう。
【図面の簡単な説明】
【００１５】
【図１】[0015]高調波抽出と除去とを実行するように動作可能なデバイスの特定の実施形態のブロック図。
【図２】[0016]高調波抽出と除去とを実行するように動作可能なデバイスの別の特定の実施形態のブロック図。
【図３】[0017]図１のデバイスを含むシステムの特定の例示的な実施形態の図。
【図４】[0018]図１のデバイスと図２のデバイスとを含むシステムの特定の例示的な実施形態の図。
【図５】[0019]図１のデバイスを動作させる方法の特定の例示的な実施形態の流れ図。
【図６】[0020]図２のデバイスを動作させる方法の特定の例示的な実施形態の流れ図。
【図７】[0021]高調波抽出および除去回路を含むワイヤレスデバイスのブロック図。
【発明を実施するための形態】
【００１６】
[0022]図１を参照すると、高調波抽出と除去とを実行するように動作可能なデバイスの特定の実施形態が示されており、全体的に１００と指定されている。デバイス１００は、第１のハイブリッド１０２と、第２のハイブリッド１０４とを含む。第１のハイブリッド１０２および第２のハイブリッド１０４は、本明細書では「ハイブリッド回路」とも呼ばれ、本明細書でさらに説明するように、各々、１対の入力の対応する高調波成分の位相差に基づいて高調波抽出および高調波除去を実行するように動作可能であってよい。
【００１７】
[0023]一般に、ハイブリッドは、ある無線周波数（ＲＦ）（たとえばマイクロ波）適用例では、電力結合デバイスとして使用される。たとえば、ハイブリッドは、第１の入力ポートと、第１の出力ポートと、第２の出力ポートとを有することができる。ハイブリッドは、第１の入力ポートで印加された電力を第１の出力ポートと第２の出力ポートに分割することができる。ハイブリッドは、隔離（isolated）ポートと呼ばれ逆電力結合に使用される第４のポート（たとえば、第２の入力ポート）も有することができる。いくつかの実装形態では、ハイブリッド内の伝送線路は、４分の１波長（λ／４）異なる長さを有し、結果として出力ポートにおいて信号間で９０度の位相差が生じることがある。そのようなハイブリッドは、９０度ハイブリッドと呼ばれることがある。しかしながら、出力信号のより高次の高調波は、９０度よりも大きい位相差を有することがある。たとえば、第２次高調波は１８０度の位相差を有することがあり、第３次高調波は２７０度（すなわち−９０度）の位相差を有することがある。高調波間の位相差は、他の高調波を抽出しながらある高調波を打ち消すために使用されてよい。たとえば、９０度ハイブリッドの２つの入力ポートに同相信号を印加する代わりに、９０度の位相差が入力信号間に導入されてよい。９０度の位相差を導入した結果、本明細書でさらに説明するように、第２次高調波の打ち消しならびに第１次高調波および／または第３次高調波の選択的抽出または抑圧が生じる。特定の一実施形態では、本明細書でさらに説明するように、第１のハイブリッド１０２および第２のハイブリッド１０４は、２つの入力と２つの出力とを有する９０度ハイブリッドである。
【００１８】
[0024]デバイス１００は、第１の増幅器１０６と、第２の増幅器１０８と、第３の増幅器１１０と、第４の増幅器１１２も含む。第１の増幅器１０６および第４の増幅器１１２は、第１のハイブリッド１０２に結合され得る。第２の増幅器１０８および第３の増幅器１１０は、第２のハイブリッド１０４に結合され得る。デバイス１００は、第１の移相器１１６と、第２の移相器１１８とをさらに含む。第１の移相器１１６の出力は第３の増幅器１１０の入力に結合され得、第２の移相器１１８の出力は第４の増幅器１１２の入力に結合され得る。
【００１９】
[0025]特定の一実施形態では、第１の入力線１３０は、第１の増幅器１０６の入力と、第１の移相器１１６の入力に結合される。第２の入力線１３２は、第２の増幅器１０８の入力と、第２の移相器１１８の入力に結合される。例を挙げて説明するために、第１の増幅器１０６および第１の移相器１１６は、第１の入力線１３０を介して第１の入力信号（ｖｉｐ）を受信することができ、第２の増幅器１０８および第２の移相器１１８は、第２の入力線１３２を介して第２の入力信号（ｖｉｍ）を受信することができる。
【００２０】
[0026]特定の一実施形態では、第１の入力信号（ｖｉｐ）は差動入力信号（ｖｉｐ、ｖｉｍ）の第１の信号であってよく、第２の入力信号（ｖｉｍ）は差動入力信号（ｖｉｐ、ｖｉｍ）の第２の信号であってよい。たとえば、第１の入力信号（ｖｉｐ）と第２の入力信号（ｖｉｍ）は互いと相補的であってよい。例を挙げて説明するために、第２の入力信号（ｖｉｍ）は、第１の入力信号（ｖｉｐ）から１８０度移相され得る。
【００２１】
[0027]特定の一実施形態では、第１の移相器１１６は、第１の移相信号（ｐｓ１）を生成し、この第１の移相信号（ｐｓ１）を第３の増幅器１１０に供給するように構成され得る。例を挙げて説明するために、第１の移相器１１６は、第１の入力信号（ｖｉｐ）を移相することによって、第１の移相信号（ｐｓ１）を生成することができる。たとえば、第１の移相器１１６は９０度移相器であってよく、第１の入力信号（ｖｉｐ）は、約０度の位相を有することができる。第１の移相器１１６は、第１の移相器１１６の出力において、第１の入力信号（ｖｉｐ）の位相から約９０度移相された第１の移相信号（ｐｓ１）を生成することができる。
【００２２】
[0028]特定の一実施形態では、第２の移相器１１８は、第２の移相信号（ｐｓ２）を生成し、この第２の移相信号（ｐｓ２）を第４の増幅器１１２に供給するように構成され得る。例を挙げて説明するために、第２の移相器１１８は、第２の入力信号（ｖｉｍ）を移相することによって、第２の移相信号（ｐｓ２）を生成することができる。たとえば、第２の移相器１１８は９０度移相器であってよく、第２の入力信号（ｖｉｍ）は、約０度の位相を有することができる。第２の移相器１１８は、第２の移相器１１８の出力において、第２の入力信号（ｖｉｍ）の位相から約９０度移相された第２の移相信号（ｐｓ２）を生成することができる。別の非限定的な例として、第２の入力信号（ｖｉｍ）が約１８０度の位相を有する場合、第２の移相器１１８は、第２の入力信号（ｖｉｍ）の位相を約９０度シフトさせて、約２７０度（すなわち−９０度）の位相を有する第２の移相信号（ｐｓ２）を生成することができる。
【００２３】
[0029]特定の一実施形態では、第１の増幅器１０６は、第１の入力信号（ｖｉｐ）を増幅することによって第１の信号（ａｏ１）（たとえば第１の増幅信号）を生成するように構成され得、第２の増幅器１０８は、第２の入力信号（ｖｉｍ）を増幅することによって第２の信号（ａｏ２）（たとえば第２の増幅信号）を生成するように構成され得る。第３の増幅器１１０は、第１の入力信号（ｖｉｐ）を移相することによって第１の移相器１１６によって生成された第１の移相信号（ｐｓ１）を増幅することによって、第３の信号（ａｏ３）（たとえば第３の増幅信号）を生成するように構成され得る。第４の増幅器１１２は、第２の入力信号（ｖｉｍ）を移相することによって第２の移相器１１８によって生成された第２の移相信号（ｐｓ２）を増幅することによって、第４の信号（ａｏ４）（たとえば第４の増幅信号）を生成するように構成され得る。特定の一実施形態では、第１の増幅器１０６、第２の増幅器１０８、第３の増幅器１１０、および第４の増幅器１１２の各々は、単一のｎチャネル金属酸化物半導体（ＮＭＯＳ）トランジスタであってもよいし、単一のｐチャネル金属酸化物半導体（ＰＭＯＳ）トランジスタであってもよい。
【００２４】
[0030]特定の一実施形態では、第１の増幅器１０６は、非線形特性を有することができる。たとえば、式（１）は、第１の増幅器１０６に供給される第１の入力信号（ｖｉｐ）と第１の増幅器１０６によって生成される第１の信号（ａｏ１）の関係を表すことができる。例を挙げて説明するために、式（１）では、ｘは入力信号を表し、ｙは出力信号を表す。
【００２５】
[0031]
【数１】
0005940737.tif 000002
【００２６】
[0032]第１の項すなわちａ1ｘは、出力ｙの第１の高調波成分を表すことができ、第２の項すなわちａ2ｘ2は、出力ｙの第２の高調波成分を表すことができ、第３の項すなわちａ3ｘ3は、出力ｙの第３の高調波成分を表すことができる。
【００２７】
[0033]たとえば、ｘ＝ｃｏｓ（ｗｔ＋θ）の場合、
[0034]
【数２】
0005940737.tif 000003
【００２８】
[0035]たとえば、第１の増幅器１０６に関して、第１の増幅器１０６に供給される第１の入力信号（ｖｉｐ）が０度の位相を有する場合、第１の増幅器１０６によって生成される第１の信号（ａｏ１）は、各々が０度の位相を有する第１の高調波成分と第３の高調波成分とを有することができる。第１の増幅器１０６に供給される第１の入力信号（ｖｉｐ）が約１８０度の位相を有する場合、第１の信号（ａｏ１）は、各々が約１８０度の位相を有する第１の高調波成分と第３の高調波成分とを有することができる。第１の入力信号（ｖｉｐ）が、約０度と約１８０度の両方とは異なる位相を有する場合、第１の信号（ａｏ１）の第１の高調波成分の位相は、第１の増幅器１０６の非線形特性により、第１の信号（ａｏ１）の第３の高調波成分の位相と異なってよい。
【００２９】
[0036]特定の一実施形態では、第２の増幅器１０８は、非線形特性を有することができる。例を挙げて説明するために、式（１）および式（２）は、第２の増幅器１０８に供給される第２の入力信号（ｖｉｍ）と第２の増幅器１０８によって生成される第２の信号（ａｏ２）の関係を表すことができる。たとえば、第２の入力信号（ｖｉｍ）が０度の位相を有する場合、第２の信号（ａｏ２）は、各々が０度の位相を有する第１の高調波成分と第３の高調波成分とを有することができる。別の非限定的な例として、第２の入力信号（ｖｉｍ）が約１８０度の位相を有する場合、第２の信号（ａｏ２）は、各々が約１８０度の位相を有する第１の高調波成分と第３の高調波成分とを有することができる。第２の入力信号（ｖｉｍ）が、約０度と約１８０度の両方とは異なる位相を有する場合、第２の信号（ａｏ２）の第１の高調波成分の位相は、第２の増幅器１０８の非線形特性により、第２の信号（ａｏ２）の第３の高調波成分の位相と異なってよい。
【００３０】
[0037]特定の一実施形態では、第３の増幅器１１０は、非線形特性を有することができる。例を挙げて説明するために、式（１）および式（２）は、第３の増幅器１１０に供給される第１の移相信号（ｐｓ１）と第３の増幅器１１０によって生成される第３の信号（ａｏ３）の関係を表すことができる。たとえば、第１の移相信号（ｐｓ１）が０度の位相を有する場合、第３の信号（ａｏ３）は、各々が０度の位相を有する第１の高調波成分と第３の高調波成分とを有することができる。別の非限定的な例として、第１の移相信号（ｐｓ１）が約１８０度の位相を有する場合、第３の信号（ａｏ３）は、各々が約１８０度の位相を有する第１の高調波成分と第３の高調波成分とを有することができる。第１の移相信号（ｐｓ１）が、約０度と約１８０度の両方とは異なる位相を有する場合、第３の信号（ａｏ３）の第１の高調波成分の位相は、第３の増幅器１１０の非線形特性により、第３の信号（ａｏ３）の第３の高調波成分の位相と異なってよい。たとえば、第１の移相信号（ｐｓ１）が約９０度の位相を有する場合、第３の信号（ａｏ３）の第１の高調波成分は約９０度の位相を有することができ、第３の信号（ａｏ３）の第３の高調波成分は約２７０度（すなわち−９０度）の位相を有することができる。
【００３１】
[0038]特定の一実施形態では、第４の増幅器１１２は、非線形特性を有することができる。例を挙げて説明するために、式（１）および式（２）は、第４の増幅器１１２に供給される第２の移相信号（ｐｓ２）と第４の増幅器１１２によって生成される第４の信号（ａｏ４）の関係を表すことができる。たとえば、第４の増幅器１１２に供給される第２の移相信号（ｐｓ２）が０度の位相を有する場合、第４の増幅器１１２によって生成される第４の信号（ａｏ４）は、各々が０度の位相を有する第１の高調波成分と第３の高調波成分とを有することができる。別の非限定的な例として、第４の増幅器１１２に供給される第２の移相信号（ｐｓ２）が約１８０度の位相を有する場合、第４の増幅器１１２によって生成される第４の信号（ａｏ４）は、各々が約１８０度の位相を有する第１の高調波成分と第３の高調波成分とを有することができる。第２の移相信号（ｐｓ２）が、約０度と約１８０度の両方とは異なる位相を有する場合、第４の信号（ａｏ４）の第１の高調波成分の位相は、第４の増幅器１１２の非線形特性により、第４の信号（ａｏ４）の第３の高調波成分の位相と異なってよい。たとえば、第２の移相信号（ｐｓ２）が約９０度の位相を有する場合、第４の信号（ａｏ４）の第１の高調波成分は約９０度の位相を有することができ、第４の信号（ａｏ４）の第３の高調波成分は約２７０度（すなわち−９０度）の位相を有することができる。別の非限定的な例として、第２の移相信号（ｐｓ２）が約２７０度（すなわち−９０度）の位相を有する場合、第４の信号（ａｏ４）の第１の高調波成分は約２７０度（すなわち−９０度）の位相を有することができ、第４の信号（ａｏ４）の第３の高調波成分は約２７０度（すなわち９０度）の位相を有することができる。
【００３２】
[0039]特定の一実施形態では、第１のハイブリッドは、２つの入力と、２つの出力とを有し、第１の対の入力信号を介して受信された電力を分割することに基づいて第１の対の出力信号を生成することができる。第２のハイブリッドは、２つの入力と、２つの出力とを有することができ、第２の対の入力信号を介して受信された電力を分割することに基づいて第２の対の出力信号を生成することができる。たとえば、第１のハイブリッド１０２の第１の入力は第１の増幅器１０６の出力に結合され得、第１のハイブリッド１０２の第２の入力は第４の増幅器１１２の出力に結合され得る。同様に、第２のハイブリッド１０４の第１の入力は第２の増幅器１０８の出力に結合され得、第２のハイブリッド１０４の第２の入力は第３の増幅器１１０の出力に結合され得る。例を挙げて説明するために、第１の増幅器１０６は、第１のハイブリッド１０２の第１の入力に第１の信号（ａｏ１）を供給することができ、第２の増幅器１０８は、第２のハイブリッド１０４の第１の入力に第２の信号（ａｏ２）を供給することができる。同様に、第３の増幅器１１０は、第２のハイブリッド１０４の第２の入力に第３の信号（ａｏ３）を供給することができ、第４の増幅器１１２は、第１のハイブリッド１０２の第２の入力に第４の信号（ａｏ４）を供給することができる。
【００３３】
[0040]特定の一実施形態では、第１のハイブリッド１０２は９０度ハイブリッドであってよい。第１のハイブリッド１０２は、第１の対の出力信号を出力するように構成され得る。たとえば、第１のハイブリッド１０２は、第１のハイブリッド１０２の第１の出力１２０において第１の出力信号（ｖｏ１ｐ）を出力するように構成され得る。第１のハイブリッド１０２はまた、第１のハイブリッド１０２の第２の出力１２４において第２の出力信号（ｖｏ２ｐ）を出力するようにも構成され得る。たとえば、第１のハイブリッド１０２は、第１の信号（ａｏ１）の対応する高調波成分と第４の信号（ａｏ４）の高調波成分の位相差に基づいて、第１の出力信号（ｖｏ１ｐ）と第２の出力信号（ｖｏ２ｐ）とを生成することができる。
【００３４】
[0041]例を挙げて説明するために、第４の信号（ａｏ４）の第１の高調波成分と第１の信号（ａｏ１）の第１の高調波成分の位相差は、第４の信号（ａｏ４）の第３の高調波成分と第１の信号（ａｏ１）の第３の高調波の位相差と異なってよい。たとえば、第１の信号（ａｏ１）の第１の高調波成分および第１の信号（ａｏ１）の第３の高調波成分は各々、約０度の位相を有することができる。第２の入力信号（ｖｉｍ）が１８０度の位相を有する場合、第４の信号（ａｏ４）の第１の高調波成分は約２７０度（すなわち−９０度）の位相を有することができ、第４の信号（ａｏ４）の第３の高調波成分は約９０度の位相を有することができる。したがって、第４の信号（ａｏ４）の第１の高調波成分と第１の信号（ａｏ１）の第１の高調波成分の位相差は約２７０度（すなわち−９０度）であってよく、第４の信号（ａｏ４）の第３の高調波成分と第１の信号（ａｏ１）の第３の高調波成分の位相差は約９０度であってよい。
【００３５】
[0042]たとえば、第１のハイブリッド１０２は、第４の信号（ａｏ４）の第３の高調波成分と第１の信号（ａｏ１）の第３の高調波成分の約９０度の位相差に基づいて、第１の出力信号（ｖｏ１ｐ）を生成することができる。たとえば、第１の出力信号（ｖｏ１ｐ）は、第１の信号（ａｏ１）の第３の高調波成分および第４の信号（ａｏ４）の第３の高調波成分に相当する周波数を有することができる。例を挙げて説明するために、第１の入力信号（ｖｉｐ）が１５ＧＨｚの周波数を有する場合、第１の信号（ａｏ１）の第３の高調波成分は４５ＧＨｚの周波数を有することができる。同様に、第２の入力信号（ｖｉｍ）が１５ＧＨｚの周波数を有する場合、第４の信号（ａｏ４）の第３の高調波成分は４５ＧＨｚの周波数を有することができる。したがって、第１のハイブリッド１０２は、第１の出力信号（ｖｏ１ｐ）が４５ＧＨｚの周波数を有するように、第１の出力信号（ｖｏ１ｐ）を生成することができる。第１のハイブリッド１０２は、第４の信号（ａｏ４）の第１の高調波成分と第１の信号（ａｏ１）の第１の高調波成分の約９０度の位相差に基づいて、第２の出力信号（ｖｏ２ｐ）も生成することができる。たとえば、第２の出力信号（ｖｏ２ｐ）は、第１の信号（ａｏ１）の第１の高調波成分および第４の信号（ａｏ４）の第１の高調波成分に相当する周波数を有することができる。例を挙げて説明するために、第１の入力信号（ｖｉｐ）が１５ＧＨｚの周波数を有する場合、第１の信号（ａｏ１）の第１の高調波成分は１５ＧＨｚの周波数を有することができる。同様に、第２の入力信号（ｖｉｍ）が１５ＧＨｚの周波数を有する場合、第４の信号（ａｏ４）の第１の高調波成分は１５ＧＨｚの周波数を有することができる。したがって、第１のハイブリッド１０２は、第２の出力信号（ｖｏ２ｐ）が１５ＧＨｚの周波数を有するように、第２の出力信号（ｖｏ２ｐ）を生成することができる。第１のハイブリッド１０２はまた、第２の出力信号（ｖｏ２ｐ）を生成する際に、第１の信号（ａｏ１）の第３の高調波成分と第４の信号（ａｏ４）の第３の高調波成分とを実質的に除去することもできる。したがって、第２の出力信号（ｖｏ２ｐ）は、実質的に抑圧された第３の高調波成分（すなわち、第２の出力信号（ｖｏ２ｐ）の第３の高調波周波数で実質的に抑圧されたスペクトルエネルギー）を有することができる。
【００３６】
[0043]第１の信号（ａｏ１）および第４の信号（ａｏ４）はそれぞれ第１の入力信号（ｖｉｐ）および第２の入力信号（ｖｉｍ）から得られるので、第１の出力信号（ｖｏ１ｐ）の周波数は、第１の入力信号（ｖｉｐ）の第３の高調波成分および第２の入力信号（ｖｉｍ）の第３の高調波成分に相当することができる。同様に、第２の出力信号（ｖｏ２ｐ）の周波数は、第１の入力信号（ｖｉｐ）の第１の高調波成分および第２の入力信号（ｖｉｍ）の第１の高調波成分に相当することができる。
【００３７】
[0044]特定の一実施形態では、第２のハイブリッド１０４は９０度ハイブリッドであってよい。第２のハイブリッド１０４は、第２の対の出力信号を出力するように構成され得る。たとえば、第２のハイブリッド１０４は、第２のハイブリッド１０４の第１の出力１２２において第１の出力信号（ｖｏ１ｍ）を出力するように構成され得る。第２のハイブリッド１０４はまた、第２のハイブリッド１０４の第２の出力１２６において第２の出力信号（ｖｏ２ｍ）を出力するようにも構成され得る。たとえば、第２のハイブリッド１０４は、第２の信号（ａｏ２）の対応する高調波成分と第３の信号（ａｏ３）の高調波成分の位相差に基づいて、第１の出力信号（ｖｏ１ｍ）と第２の出力信号（ｖｏ２ｍ）とを生成することができる。
【００３８】
[0045]例を挙げて説明するために、第３の信号（ａｏ３）の第１の高調波成分と第２の信号（ａｏ２）の第１の高調波成分の位相差は、第３の信号（ａｏ３）の第３の高調波成分と第２の信号（ａｏ２）の第３の高調波の位相差と異なってよい。たとえば、第２の入力信号（ｖｉｍ）が１８０度の位相を有する場合、第２の信号（ａｏ２）の第１の高調波成分および第２の信号（ａｏ２）の第３の高調波成分は各々、約１８０度の位相を有することができる。第３の信号（ａｏ３）の第１の高調波成分は約９０度の位相を有することができ、第３の信号（ａｏ３）の第３の高調波成分は約２７０度（すなわち−９０度）の位相を有することができる。したがって、第３の信号（ａｏ３）の第１の高調波成分と第２の信号（ａｏ２）の第１の高調波成分の位相差は約９０度であってよく、第３の信号（ａｏ３）の第３の高調波成分と第２の信号（ａｏ２）の第３の高調波の位相差は約９０度であってよい。
【００３９】
[0046]第２のハイブリッド１０４は、第３の信号（ａｏ３）の第３の高調波成分と第２の信号（ａｏ２）の第３の高調波成分の約９０度の位相差に基づいて、第１の出力信号（ｖｏ１ｍ）を生成することができる。たとえば、第１の出力信号（ｖｏ１ｍ）は、第２の信号（ａｏ２）の第３の高調波成分および第３の信号（ａｏ３）の第３の高調波成分に相当する周波数を有することができる。例を挙げて説明するために、第１の入力信号（ｖｉｍ）が１５ＧＨｚの周波数を有する場合、第２の信号（ａｏ２）の第３の高調波成分は４５ＧＨｚの周波数を有することができる。同様に、第１の入力信号（ｖｉｐ）が１５ＧＨｚの周波数を有する場合、第３の信号（ａｏ３）の第３の高調波成分は４５ＧＨｚの周波数を有することができる。したがって、第２のハイブリッド１０４は、第１の出力信号（ｖｏ１ｍ）が４５ＧＨｚの周波数を有するように、第１の出力信号（ｖｏ１ｍ）を生成することができる。第２のハイブリッド１０４は、第３の信号（ａｏ３）の第１の高調波成分と第２の信号（ａｏ２）の第１の高調波成分の約９０度の位相差に基づいて、第２の出力信号（ｖｏ２ｍ）も生成することができる。たとえば、第２の出力信号（ｖｏ２ｍ）は、第２の信号（ａｏ２）の第１の高調波成分および第３の信号（ａｏ３）の第１の高調波成分に相当する周波数を有することができる。例を挙げて説明するために、第１の入力信号（ｖｉｍ）が１５ＧＨｚの周波数を有する場合、第２の信号（ａｏ２）の第１の高調波成分は１５ＧＨｚの周波数を有することができる。同様に、第１の入力信号（ｖｉｐ）が１５ＧＨｚの周波数を有する場合、第３の信号（ａｏ３）の第１の高調波成分は１５ＧＨｚの周波数を有することができる。したがって、第２のハイブリッド１０４は、第２の出力信号（ｖｏ２ｍ）が１５ＧＨｚの周波数を有するように、第２の出力信号（ｖｏ２ｍ）を生成することができる。第２のハイブリッド１０４はまた、第２の出力信号（ｖｏ２ｍ）を生成する際に、第２の信号（ａｏ２）の第３の高調波成分と第３の信号（ａｏ３）の第３の高調波成分とを実質的に除去することもできる。したがって、第２の出力信号（ｖｏ２ｍ）は、実質的に抑圧された第３の高調波成分（すなわち、第２の出力信号（ｖｏ２ｍ）の第３の高調波周波数で実質的に抑圧されたスペクトルエネルギー）を有することができる。
【００４０】
[0047]第２の信号（ａｏ２）および第３の信号（ａｏ３）はそれぞれ第１の入力信号（ｖｉｍ）および第１の入力信号（ｖｉｐ）から得られるので、第１の出力信号（ｖｏ１ｍ）の周波数は、第１の入力信号（ｖｉｐ）の第３の高調波成分および第２の入力信号（ｖｉｍ）の第３の高調波成分に相当することができる。同様に、第２の出力信号（ｖｏ２ｍ）の周波数は、第１の入力信号（ｖｉｐ）の第１の高調波成分および第２の入力信号（ｖｉｍ）の第１の高調波成分に相当することができる。
【００４１】
[0048]特定の一実施形態では、第１の出力信号（ｖｏ１ｐ）および第１の出力信号（ｖｏ１ｍ）は、第１の差動出力信号の第１の信号と第２の信号と（ｖｏ１ｐ、ｖｏ１ｍ）を形成することができる。同様に、第２の出力信号（ｖｏ２ｐ）および第２の出力信号（ｖｏ２ｍ）は、第２の差動出力信号の第１の信号と第２の信号と（ｖｏ２ｐ、ｖｏ２ｍ）を形成することができる。
【００４２】
[0049]動作中、第１の増幅器１０６および第１の移相器１１６は、第１の入力信号（ｖｉｐ）を受信することができ、第２の増幅器１０８および第２の移相器１１８は、第２の入力信号（ｖｉｍ）を受信することができる。たとえば、第１の入力信号（ｖｉｐ）は約０度の位相を有することができ、第２の入力信号（ｖｉｍ）は約１８０度の位相を有することができる。第１の移相器１１６は、第１の入力信号（ｖｉｐ）をたとえば約９０度シフトさせて、約９０度の位相を有する第１の移相信号（ｐｓ１）を生成することができる。同様に、第２の移相器１１８は、第２の入力信号（ｖｉｍ）をたとえば約９０度シフトさせて、約２７０度（すなわち−９０度）の位相を有する第２の移相信号（ｐｓ２）を生成することができる。
【００４３】
[0050]第１の増幅器１０６は、第１の入力信号（ｖｉｐ）に基づいて第１の信号（ａｏ１）を生成することができる。第１の入力信号（ｖｉｐ）は約０度の位相を有するので、第１の信号（ａｏ１）の第１の高調波成分および第１の信号（ａｏ１）の第３の第１の高調波成分は各々、約０度の位相を有することができる。第２の増幅器１０８は、第２の入力信号（ｖｉｍ）に基づいて第２の信号（ａｏ２）を生成することができる。第２の入力信号（ｖｉｍ）は約１８０度の位相を有するので、第２の信号（ａｏ２）の第１の高調波成分および第２の信号（ａｏ２）の第３の第１の高調波成分は各々、約１８０度の位相を有することができる。
【００４４】
[0051]第３の増幅器１１０は、第１の入力信号（ｖｉｐ）に基づいて生成された第１の移相信号（ｐｓ１）に基づいて、第３の信号（ａｏ３）を生成することができる。第１の移相信号（ｐｓ１）は約９０度の位相を有するので、第３の信号（ａｏ３）の第１の高調波成分は約９０度の位相を有することができ、第３の信号（ａｏ３）の第３の第１の高調波成分は約２７０度（すなわち−９０度）の位相を有することができる。第４の増幅器１１２は、第２の入力信号（ｖｉｍ）に基づいて生成された第２の移相信号（ｐｓ２）に基づいて、第４の信号（ａｏ４）を生成することができる。第２の移相信号（ｐｓ２）は約９０度の位相を有するので、第４の信号（ａｏ４）の第１の高調波成分は約９０度の位相を有することができ、第４の信号（ａｏ４）の第３の高調波成分は約２７０度（すなわち９０度）の位相を有することができる。
【００４５】
[0052]第１のハイブリッド１０２は、第１の信号（ａｏ１）の第３の高調波成分および第４の信号（ａｏ４）の第３の高調波成分に相当する周波数を有する第１の出力信号（ｖｏ１ｐ）を生成することができる。第１のハイブリッド１０２は、第１の信号（ａｏ１）の第１の高調波成分および第４の信号（ａｏ４）の第１の高調波成分に相当する周波数を有する第２の出力信号（ｖｏ２ｐ）も生成することができる。たとえば、差動入力信号（ｖｉｐ、ｖｉｍ）の周波数が約１５ＧＨｚである場合、第１の信号（ａｏ１）の第１の高調波成分および第４の信号（ａｏ４）の第１の高調波成分も約１５ＧＨｚの周波数を有することができ、第１の信号（ａｏ１）の第３の高調波成分および第４の信号（ａｏ４）の第３の高調波成分は約４５ＧＨｚの周波数を有することができる。したがって、第１の出力信号（ｖｏ１ｐ）の周波数は約４５ＧＨｚとすることができ、第２の出力信号（ｖｏ２ｐ）の周波数は約１５ＧＨｚとすることができる。さらに、第２の出力信号（ｖｏ２ｐ）は、４５ＧＨｚに実質的に抑圧された周波数成分を有する（すなわち、差動入力信号（ｖｉｐ、ｖｉｍ）の第３の高調波成分に相当する）ことができる。
【００４６】
[0053]第２のハイブリッド１０４は、第２の信号（ａｏ２）の第３の高調波成分および第３の信号（ａｏ３）の第３の高調波成分に相当する周波数を有する第１の出力信号（ｖｏ１ｍ）を生成することができる。第２のハイブリッド１０４は、第２の信号（ａｏ２）の第１の高調波成分および第３の信号（ａｏ３）の第１の高調波成分に相当する周波数を有する第２の出力信号（ｖｏ２ｍ）も生成することができる。たとえば、差動入力信号（ｖｉｐ、ｖｉｍ）の周波数が約１５ＧＨｚである場合、第２の信号（ａｏ２）の第１の高調波成分および第３の信号（ａｏ３）の第１の高調波成分も約１５ＧＨｚの周波数を有することができ、第２の信号（ａｏ２）の第３の高調波成分および第３の信号（ａｏ３）の第３の高調波成分は約４５ＧＨｚの周波数を有することができる。したがって、第１の出力信号（ｖｏ１ｍ）の周波数も約４５ＧＨｚとすることができ、第２の出力信号（ｖｏ２ｍ）の周波数は約１５ＧＨｚとすることができる。さらに、第２の出力信号（ｖｏ２ｍ）は、４５ＧＨｚに実質的に抑圧された周波数成分を有する（すなわち、差動入力信号（ｖｉｐ、ｖｉｍ）の第３の高調波成分に相当する）ことができる。
【００４７】
[0054]差動入力信号（ｖｉｐ、ｖｉｍ）の高調波成分を分離することによって、所望の周波数を有する第１の差動出力信号（ｖｏ１ｐ、ｖｏ１ｍ）が、差動入力信号（ｖｉｐ、ｖｉｍ）の特定の高調波成分を抽出することによって生成され得る。特定の高調波成分を抽出することによって、第１の差動出力信号（ｖｏ１ｐ、ｖｏ１ｍ）は、差動入力信号（ｖｉｐ、ｖｉｍ）の周波数よりも高い所望の周波数を有することができる。たとえば、より高い周波数を有することによって、差動出力信号（ｖｏ１ｐ、ｖｏ１ｍ）は、より高いレートで信号を送信および／または受信するために使用され得る。さらに、差動入力信号（ｖｉｐ、ｖｉｍ）の高調波成分を分離することによって、抑圧された高調波成分を有する第２の差動出力信号（ｖｏ２ｐ、ｖｏ２ｍ）が、差動入力信号（ｖｉｐ、ｖｉｍ）の特定の高調波成分を除去することによって生成され得る。抑圧された高調波成分を有する第２の差動出力信号（ｖｏ２ｐ、ｖｏ２ｍ）を使用することは、フィルタ（たとえばＬＣタンク回路）を使用して差動入力信号（ｖｉｐ、ｖｉｍ）から抑圧された高調波成分をフィルタ除去する必要性を実質的に取り除くことができる。
【００４８】
[0055]デバイス１００の動作について、０度の位相を有する第１の入力信号（ｖｉｐ）および約１８０度の位相を有する第２の入力信号（ｖｉｍ）に基づいて上記で説明したが、他の実施形態では、第１の入力信号（ｖｉｐ）および第２の入力信号（ｖｉｍ）は他の位相値を有してよい。さらに、デバイス１００の動作について、対応する入力信号を約９０度シフトさせる第１の移相器１１６および第２の移相器１１８の各々に基づいて上記で説明したが、他の実施形態では、第１の移相器１１６および第２の移相器１１８の各々は、対応する入力信号を異なる量だけシフトさせてよい。たとえば、第１の移相器１１６および第２の移相器１１８の各々は、対応する入力信号を約２７０度シフトさせることができる。
【００４９】
[0056]図２を参照すると、高調波抽出と除去とを実行するように動作可能なデバイスの別の特定の実施形態が示されており、全体的に２００と指定されている。デバイス２００は、第１のハイブリッド１０２と、第２のハイブリッド１０４とを含む。デバイス２００は、第１の増幅器１０６と、第２の増幅器１０８と、第３の増幅器１１０と、第４の増幅器１１２も含む。第１の増幅器１０６および第３の増幅器１１０は、第１のハイブリッド１０２に結合され得る。第２の増幅器１０８および第４の増幅器１１２は、第２のハイブリッド１０４に結合され得る。デバイス２００は、第１の移相器１１６と、第２の移相器１１８とをさらに含む。
【００５０】
[0057]特定の一実施形態では、第１の入力線１３０は、第１の増幅器１０６の入力と、第１の移相器１１６の入力に結合される。第２の入力線１３２は、第２の増幅器１０８の入力と、第２の移相器１１８の入力に結合される。第１の移相器１１６の出力は第３の増幅器１１０の入力に結合され得、第２の移相器１１８の出力は第４の増幅器１１２の入力に結合され得る。特定の一実施形態では、第１の移相器１１６および第２の移相器１１８はそれぞれ、図１の第１の移相器１１６および第２の移相器１１８に相当することができ、図１に関して説明する様式で動作することができる。
【００５１】
[0058]特定の一実施形態では、第１の増幅器１０６の出力は第１のハイブリッド１０２の第１の入力に結合され、第３の増幅器１１０の出力は第１のハイブリッド１０２の第２の入力に結合される。同様に、第２の増幅器１０８の出力は第２のハイブリッド１０４の第１の入力に結合され得、第４の増幅器１１２の出力は第２のハイブリッド１０４の第２の入力に結合され得る。例を挙げて説明するために、第１の増幅器１０６は、第１のハイブリッド１０２の第１の入力に第１の信号（ａｏ１）を供給することができ、第２の増幅器１０８は、第２のハイブリッド１０４の第１の入力に第２の信号（ａｏ２）を供給することができる。同様に、第３の増幅器１１０は、第１のハイブリッド１０２の第２の入力に第３の信号（ａｏ３）を供給することができ、第４の増幅器１１２は、第２のハイブリッド１０４の第２の入力に第４の信号（ａｏ４）を供給することができる。特定の一実施形態では、第１の増幅器１０６、第２の増幅器１０８、第３の増幅器１１０、および第４の増幅器１１２はそれぞれ、図１の第１の増幅器１０６、第２の増幅器１０８、第３の増幅器１１０、および第４の増幅器１１２に相当することができ、図１に関して説明する様式で動作することができる。
【００５２】
[0059]特定の一実施形態では、第１のハイブリッド１０２は、第３の信号（ａｏ３）の第１の高調波成分と第１の信号（ａｏ１）の第１の高調波成分の位相差に基づいて、第１の出力信号（ｖｏ１ｐ）を生成することができる。たとえば、第１の出力信号（ｖｏ１ｐ）は、第１の信号（ａｏ１）の第１の高調波成分および第３の信号（ａｏ３）の第１の高調波成分に相当する周波数を有することができる。第１の信号（ａｏ１）および第３の信号（ａｏ３）は第１の入力信号（ｖｉｐ）から得られるので、第１の出力信号（ｖｏ１ｐ）の周波数は、第１の入力信号（ｖｉｐ）の第１の高調波成分に相当することができる。特定の一実施形態では、第１のハイブリッド１０２は、第１の出力信号（ｖｏ１ｐ）を生成する際に、第１の信号（ａｏ１）の第３の高調波成分と第３の信号（ａｏ３）の第３の高調波成分とを実質的に除去することができる。したがって、第１のハイブリッド１０２は、第１の出力信号（ｖｏ１ｐ）が、実質的に抑圧される第３の高調波成分を有するように、第１の出力信号（ｖｏ１ｐ）を生成することができる。
【００５３】
[0060]特定の一実施形態では、第１のハイブリッド１０２は、第３の信号（ａｏ３）の第３の高調波成分と第１の信号（ａｏ１）の第３の高調波成分の位相差に基づいて、第２の出力信号（ｖｏ２ｐ）を生成することができる。たとえば、第２の出力信号（ｖｏ２ｐ）は、第１の信号（ａｏ１）の第３の高調波成分および第３の信号（ａｏ３）の第３の高調波成分に相当する周波数を有することができる。第１の信号（ａｏ１）および第３の信号（ａｏ３）は第１の入力信号（ｖｉｐ）から得られるので、第２の出力信号（ｖｏ２ｐ）の周波数は、第１の入力信号（ｖｉｐ）の第３の高調波成分にも対応することができる。
【００５４】
[0061]特定の一実施形態では、第２のハイブリッド１０４は、第４の信号（ａｏ４）の第１の高調波成分と第２の信号（ａｏ２）の第１の高調波成分の位相差に基づいて、第１の出力信号（ｖｏ１ｍ）を生成することができる。たとえば、第１の出力信号（ｖｏ１ｍ）は、第２の信号（ａｏ２）の第１の高調波成分および第４の信号（ａｏ４）の第１の高調波成分に相当する周波数を有することができる。第２の信号（ａｏ２）および第４の信号（ａｏ４）は第２の入力信号（ｖｉｍ）から得られるので、第１の出力信号（ｖｏ１ｍ）の周波数は、第２の入力信号（ｖｉｍ）の第１の高調波成分に相当することができる。特定の一実施形態では、第２のハイブリッド１０４は、第１の出力信号（ｖｏ１ｍ）を生成する際に、第２の信号（ａｏ２）の第３の高調波成分と第４の信号（ａｏ４）の第３の高調波成分とを実質的に除去することができる。したがって、第２のハイブリッド１０４は、第１の出力信号（ｖｏ１ｐ）が、実質的に抑圧される第３の高調波成分を有するように、第１の出力信号（ｖｏ１ｍ）を生成することができる。
【００５５】
[0062]特定の一実施形態では、第２のハイブリッド１０４は、第４の信号（ａｏ４）の第３の高調波成分と第２の信号（ａｏ２）の第３の高調波成分の位相差に基づいて、第２の出力信号（ｖｏ２ｍ）を生成することができる。たとえば、第２の出力信号（ｖｏ２ｍ）は、第２の信号（ａｏ２）の第３の高調波成分および第４の信号（ａｏ４）の第３の高調波成分に相当する周波数を有することができる。第２の信号（ａｏ２）および第４の信号（ａｏ４）は第２の入力信号（ｖｉｍ）から得られるので、第２の出力信号（ｖｏ２ｐ）の周波数は、第２の入力信号（ｖｉｍ）の第３の高調波成分にも対応することができる。
【００５６】
[0063]特定の一実施形態では、第１の出力信号（ｖｏ１ｐ）および第１の出力信号（ｖｏ１ｍ）は、第１の差動出力信号の第１の信号と第２の信号と（ｖｏ１ｐ、ｖｏ１ｍ）を形成することができる。同様に、第２の出力信号（ｖｏ２ｐ）および第２の出力信号（ｖｏ２ｍ）は、第２の差動出力信号の第１の信号と第２の信号と（ｖｏ２ｐ、ｖｏ２ｍ）を形成することができる。
【００５７】
[0064]動作中、第１の増幅器１０６および第１の移相器１１６は、第１の入力信号（ｖｉｐ）を受信することができ、第２の増幅器１０８および第２の移相器１１８は、第２の入力信号（ｖｉｍ）を受信することができる。たとえば、第１の入力信号（ｖｉｐ）は約０度の位相を有することができ、第２の入力信号（ｖｉｍ）は約１８０度の位相を有することができる。第１の移相器１１６は、第１の入力信号（ｖｉｐ）をたとえば約９０度シフトさせて、約９０度の位相を有する第１の移相信号（ｐｓ１）を生成することができる。同様に、第２の移相器１１８は、第２の入力信号（ｖｉｍ）をたとえば約９０度シフトさせて、約２７０度（すなわち−９０度）の位相を有する第２の移相信号（ｐｓ２）を生成することができる。
【００５８】
[0065]第１の増幅器１０６は、第１の入力信号（ｖｉｐ）に基づいて第１の信号（ａｏ１）を生成することができる。第１の入力信号（ｖｉｐ）は約０度の位相を有するので、第１の信号（ａｏ１）の第１の高調波成分および第１の信号（ａｏ１）の第３の第１の高調波成分は各々、約０度の位相を有することができる。第２の増幅器１０８は、第２の入力信号（ｖｉｍ）に基づいて第２の信号（ａｏ２）を生成することができる。第２の入力信号（ｖｉｍ）は約１８０度の位相を有するので、第２の信号（ａｏ２）の第１の高調波成分および第２の信号（ａｏ２）の第３の第１の高調波成分は各々、約１８０度の位相を有することができる。
【００５９】
[0066]第３の増幅器１１０は、第１の入力信号（ｖｉｐ）に基づいて生成された第１の移相信号（ｐｓ１）に基づいて、第３の信号（ａｏ３）を生成することができる。たとえば、第１の移相信号（ｐｓ１）が約９０度の位相を有するので、第３の信号（ａｏ３）の第１の高調波成分は約９０度の位相を有することができ、第３の信号（ａｏ３）の第３の第１の高調波成分は約２７０度（すなわち−９０度）の位相を有することができる。第４の増幅器１１２は、第２の入力信号（ｖｉｍ）に基づいて生成された第２の移相信号（ｐｓ２）に基づいて、第４の信号（ａｏ４）を生成することができる。第２の移相信号（ｐｓ２）が約９０度の位相を有するので、第４の信号（ａｏ４）の第１の高調波成分は約９０度の位相を有することができ、第４の信号（ａｏ４）の第３の第１の高調波成分は約２７０度（すなわち９０度）の位相を有することができる。
【００６０】
[0067]第１のハイブリッド１０２は、第１の信号（ａｏ１）の第１の高調波成分および第３の信号（ａｏ３）の第３の高調波成分に相当する周波数を有する第１の出力信号（ｖｏ１ｐ）を生成することができる。第１のハイブリッド１０２は、第１の信号（ａｏ１）の第３の高調波成分および第３の信号（ａｏ３）の第３の高調波成分に相当する周波数を有する第２の出力信号（ｖｏ２ｐ）も生成することができる。たとえば、差動入力信号（ｖｉｐ、ｖｉｍ）の周波数が約１５ＧＨｚである場合、第１の信号（ａｏ１）の第１の高調波成分および第３の信号（ａｏ３）の第１の高調波成分も約１５ＧＨｚの周波数を有することができ、第１の信号（ａｏ１）の第３の高調波成分および第３の信号（ａｏ３）の第３の高調波成分は約４５ＧＨｚの周波数を有することができる。したがって、第１の出力信号（ｖｏ１ｐ）の周波数は約１５ＧＨｚとすることができ、第２の出力信号（ｖｏ２ｐ）の周波数は約４５ＧＨｚとすることができる。さらに、第１の出力信号（ｖｏ１ｐ）は、４５ＧＨｚに実質的に抑圧された周波数成分を有する（すなわち、差動入力信号（ｖｉｐ、ｖｉｍ）の第３の高調波成分に相当する）ことができる。
【００６１】
[0068]第２のハイブリッド１０４は、第２の信号（ａｏ２）の第１の高調波成分および第４の信号（ａｏ４）の第１の高調波成分に相当する周波数を有する第１の出力信号（ｖｏ１ｍ）を生成することができる。第２のハイブリッド１０４は、第２の信号（ａｏ２）の第３の高調波成分および第４の信号（ａｏ４）の第３の高調波成分に相当する周波数を有する第２の出力信号（ｖｏ２ｍ）も生成することができる。たとえば、差動入力信号（ｖｉｐ、ｖｉｍ）の周波数が約１５ＧＨｚである場合、第２の信号（ａｏ２）の第１の高調波成分および第４の信号（ａｏ４）の第１の高調波成分は約１５ＧＨｚの周波数を有することができ、第２の信号（ａｏ２）の第３の高調波成分および第４の信号（ａｏ４）の第３の高調波成分は約４５ＧＨｚの周波数を有することができる。したがって、第１の出力信号（ｖｏ１ｍ）の周波数も約１５ＧＨｚとすることができ、第２の出力信号（ｖｏ２ｍ）の周波数は約４５ＧＨｚとすることができる。さらに、第１の出力信号（ｖｏ１ｍ）は、４５ＧＨｚに実質的に抑圧された周波数成分を有する（すなわち、差動入力信号（ｖｉｐ、ｖｉｍ）の第３の高調波成分に相当する）ことができる。
【００６２】
[0069]差動入力信号（ｖｉｐ、ｖｉｍ）の高調波成分を分離することによって、抑圧された高調波成分を有する第１の差動出力信号（ｖｏ１ｐ、ｖｏ１ｍ）が、差動入力信号（ｖｉｐ、ｖｉｍ）の特定の高調波成分を除去することによって生成され得る。さらに、差動入力信号（ｖｉｐ、ｖｉｍ）の高調波成分を分離することによって、所望の周波数を有する第１の差動出力信号（ｖｏ２ｐ、ｖｏ２ｍ）が、差動入力信号（ｖｉｐ、ｖｉｍ）の特定の高調波成分を抽出することによって生成され得る。特定の高調波成分を抽出することによって、第１の差動出力信号（ｖｏ１ｐ、ｖｏ１ｍ）は、差動入力信号（ｖｉｐ、ｖｉｍ）の周波数よりも高い所望の周波数を有することができる。たとえば、より高い周波数を有することによって、差動出力信号（ｖｏ２ｐ、ｖｏ２ｍ）は、より高いレートで信号を送信および／または受信するために使用され得る。
【００６３】
[0070]デバイス２００の動作について、０度の位相を有する第１の入力信号（ｖｉｐ）および約１８０度の位相を有する第２の入力信号（ｖｉｍ）に基づいて上記で説明したが、他の実施形態では、第１の入力信号（ｖｉｐ）および第２の入力信号（ｖｉｍ）は他の位相値を有してよい。さらに、デバイス２００の動作について、対応する入力信号を約９０度シフトさせる第１の移相器１１６および第２の移相器１１８の各々に基づいて上記で説明したが、他の実施形態では、第１の移相器１１６および第２の移相器１１８の各々は、対応する入力信号を異なる量だけシフトさせてよい。たとえば、第１の移相器１１６および第２の移相器１１８の各々は、対応する入力信号を約２７０度シフトさせることができる。
【００６４】
[0071]図３を参照すると、高調波抽出と除去とを実行するように動作可能なデバイスを含むシステムの特定の実施形態が示されており、全体的に３００と指定されている。特定の一実施形態では、システム３００は、図１のデバイス１００と、第１の終端抵抗素子３０２と、第２の終端抵抗素子３０４とを含む。例を挙げて説明するために、システム３００は、第１のハイブリッド１０２と、第２のハイブリッド１０４とを含む。システム３００は、第１の増幅器１０６と、第２の増幅器１０８と、第３の増幅器１１０と、第４の増幅器１１２も含む。第１の増幅器１０６および第４の増幅器１１２は、第１のハイブリッド１０２に結合され得る。第２の増幅器１０８および第３の増幅器１１０は、第２のハイブリッド１０４に結合され得る。システム３００は、第１の移相器１１６と、第２の移相器１１８とをさらに含む。第１の移相器１１６の出力は第３の増幅器１１０の入力に結合され得、第２の移相器１１８の出力は第４の増幅器１１２の入力に結合され得る。
【００６５】
[0072]特定の一実施形態では、第１の増幅器１０６、第２の増幅器１０８、第３の増幅器１１０、および第４の増幅器１１２はそれぞれ、図１の第１の増幅器１０６、第２の増幅器１０８、第３の増幅器１１０、および第４の増幅器１１２に相当することができ、図１に関して説明する様式で動作することができる。さらに、第１の移相器１１６および第２の移相器１１８はそれぞれ、図１の第１の移相器１１６および第２の移相器１１８に相当することができ、図１に関して説明する様式で動作することができる。さらに、第１のハイブリッド１０２および第２のハイブリッド１０４はそれぞれ、図１の第１のハイブリッド１０２および第２のハイブリッド１０４に相当することができ、図１に関して説明する様式で動作することができる。
【００６６】
[0073]図１に関して説明したように、第１の入力線１３０は、第１の増幅器１０６の入力と、第１の移相器１１６の入力に結合され得る。第２の入力線１３２は、第２の増幅器１０８の入力と、第２の移相器１１８の入力に結合され得る。第１の移相器１１６の出力は第３の増幅器１１０の入力に結合され得、第２の移相器１１８の出力は第４の増幅器１１２の入力に結合され得る。
【００６７】
[0074]図１に関して説明したように、第１のハイブリッド１０２の第１の入力は第１の増幅器１０６の出力に結合され得、第１のハイブリッド１０２の第２の入力は第４の増幅器１１２の出力に結合され得る。同様に、第２のハイブリッド１０４の第１の入力は第２の増幅器１０８の出力に結合され得、第２のハイブリッド１０４の第２の入力は第３の増幅器１１０の出力に結合され得る。
【００６８】
[0075]特定の一実施形態では、第１の終端抵抗素子３０２の第１の端部は第１のハイブリッド１０２の第２の出力１２４に結合されてよく、第１の終端抵抗素子３０２の第２の端部は電圧源に結合されてもよいし、接地に結合されてもよい。同様に、第２の終端抵抗素子３０４の第１の端部は第２のハイブリッド１０４の第２の出力１２６に結合されてよく、第２の終端抵抗素子３０４の第２の端部は電圧源に結合されてもよいし、接地に結合されてもよい。たとえば、第１の終端抵抗素子３０２は、第１のハイブリッド１０２の第２の出力１２４と接地の間に接続された抵抗であってよい。第２の終端抵抗素子３０４は、第２のハイブリッド１０４の第２の出力１２６と接地の間に接続された抵抗であってよい。特定の一実施形態では、第１の終端抵抗素子３０２は５０オームの抵抗を有してよく、第２の終端抵抗素子３０４は５０オームの抵抗を有してよい。
【００６９】
[0076]特定の一実施形態では、第１の終端抵抗素子３０２は、第１のハイブリッド１０２によって生成された第１の出力信号（ｖｏ１ｐ）から抽出された高調波成分に、接地への経路を提供することができる。たとえば、第１の終端抵抗素子３０２は、差動入力信号（ｖｉｐ、ｖｉｍ）の第１の高調波成分に相当する第２の出力信号（ｖｏ２ｐ）に、接地への経路を提供することができる。例を挙げて説明するために、第１の終端抵抗素子３０２は、第２の出力信号（ｖｏ２ｐ）に接地への経路を提供して、第１のハイブリッド１０２が第２の出力信号（ｖｏ２ｐ）から干渉されずに第１の出力信号（ｖｏ１ｐ）を生成することを可能にすることができる。同様に、第２の終端抵抗素子３０４は、第２のハイブリッド１０４によって生成された第１の出力信号（ｖｏ１ｍ）から抽出された高調波成分に、接地への経路を提供することができる。たとえば、第２の終端抵抗素子３０４は、差動入力信号（ｖｉｐ、ｖｉｍ）の第１の高調波成分に相当する第２の出力信号（ｖｏ２ｍ）に、接地への経路を提供することができる。例を挙げて説明するために、第２の終端抵抗素子３０４は、第２の出力信号（ｖｏ２ｍ）に接地への経路を提供して、第２のハイブリッド１０４が第２の出力信号（ｖｏ２ｍ）から干渉されずに第１の出力信号（ｖｏ１ｍ）を生成することを可能にすることができる。
【００７０】
[0077]動作中、システム３００は、図１のデバイス１００に関して説明した様式で動作することができる。例を挙げて説明するために、差動入力信号（ｖｉｐ、ｖｉｍ）の第１の入力信号（ｖｉｐ）は、第１の入力線１３０を介して第１の増幅器１０６と第１の移相器１１６に供給され得る。差動入力信号（ｖｉｐ、ｖｉｍ）の第２の入力信号（ｖｉｍ）は、第２の入力線１３２を介して第２の増幅器１０８と第２の移相器１１８に供給され得る。第１のハイブリッド１０２は、図１に関して説明した様式で、第１の信号（ａｏ１）および第４の信号（ａｏ４）に基づいて、第１の出力信号（ｖｏ１ｐ）と第２の出力信号（ｖｏ２ｐ）とを生成することができる。同様に、第２のハイブリッド１０４は、図１に関して説明した様式で、第２の信号（ａｏ２）および第３の信号（ａｏ３）に基づいて、第１の出力信号（ｖｏ１ｍ）と第２の出力信号（ｖｏ２ｍ）とを生成することができる。
【００７１】
[0078]たとえば、第１の入力信号（ｖｉｐ）および第２の入力信号（ｖｉｍ）が各々１０ＧＨｚの周波数を有する場合、第１の出力信号（ｖｏ１ｐ）および第１の出力信号（ｖｏ１ｍ）は各々、第１の入力信号（ｖｉｐ）および第２の入力信号（ｖｉｍ）の第３の高調波成分に相当する３０ＧＨｚの周波数を有することができる。第２の出力信号（ｖｏ２ｐ）および第２の出力信号（ｖｏ２ｍ）は各々、第１の入力信号（ｖｉｐ）および第２の入力信号（ｖｉｍ）の第１の高調波成分に相当する１０ＧＨｚの周波数を有することができる。第１の終端抵抗素子３０２は、除去される１０ＧＨｚの周波数成分を有する第２の出力信号（ｖｏ２ｐ）に、接地への経路を提供することができる。同様に、第２の終端抵抗素子３０４は、除去される１０ＧＨｚの周波数成分を有する第２の出力信号（ｖｏ２ｍ）に、接地への経路を提供することができる。
【００７２】
[0079]差動入力信号（ｖｉｐ、ｖｉｍ）の高調波成分を分離することによって、所望の周波数を有する第１の差動出力信号（ｖｏ１ｐ、ｖｏ１ｍ）が、差動入力信号（ｖｉｐ、ｖｉｍ）の特定の高調波成分を抽出することによって生成され得る。さらに、差動入力信号（ｖｉｐ、ｖｉｍ）の高調波成分を分離することによって、抑圧された高調波成分を有する第２の差動出力信号（ｖｏ２ｐ、ｖｏ２ｍ）が、差動入力信号（ｖｉｐ、ｖｉｍ）の特定の高調波成分を除去することによって生成され得る。所望の周波数を有する第１の差動出力信号（ｖｏ１ｐ、ｖｏ１ｍ）は使用可能であってよいが、第２の差動出力信号（ｖｏ２ｐ、ｖｏ２ｍ）は、終端抵抗素子を介して接地に向けられてよい。
【００７３】
[0080]図３は、第１の終端抵抗素子３０２と第２の終端抵抗素子３０４とを抵抗として示しているが、他の実施形態では、第１の終端抵抗素子３０２および第２の終端抵抗素子３０４は、所望の抵抗を有する他の種類の要素であってよい。さらに、図３は、第１のハイブリッド１０２の第２の出力１２４に結合された第１の終端抵抗素子３０２を示しているが、他の実施形態では、第１の終端抵抗素子３０２は、第１のハイブリッド１０２の第２の出力１２４の代わりに第１の出力１２０に結合されてよい。同様に、図３は、第２のハイブリッド１０４の第２の出力１２６に結合された第２の終端抵抗素子３０４を示しているが、他の実施形態では、第２の終端抵抗素子３０４は、第２のハイブリッド１０４の第２の出力１２６の代わりに第１の出力１２２に結合されてよい。
【００７４】
[0081]図４を参照すると、高調波抽出と除去とを実行するように動作可能なデバイスを含むシステムの特定の実施形態が示されており、全体的に４００と指定されている。システム４００は、デバイス４０２と、第１のミキサ回路４０４と、第２のミキサ回路４０６とを含む。デバイス４０２は、第１のミキサ回路４０４と、第２のミキサ回路４０６に結合され得る。第１のミキサ回路４０４は、第２のミキサ回路４０６に結合され得る。
【００７５】
[0082]特定の一実施形態では、デバイス４０２は、図１のデバイス１００であってもよいし、図２のデバイス２００であってもよい。たとえば、第１の入力線１３０は図１および図２の第１の入力線１３０であってよく、第２の入力線１３２は図１および図２の第２の入力線１３２であってよい。さらに、第１のハイブリッド１０２および第２のハイブリッド１０４はそれぞれ、図１および図２の第１のハイブリッド１０２および第２のハイブリッド１０４であってよい。
【００７６】
[0083]特定の一実施形態では、第１のハイブリッド１０２の第１の出力１２０は、第１のミキサ回路４０４の第１の局部発振器入力に結合され得る。たとえば、第１のハイブリッド１０２によって生成される第１の出力信号（ｖｏ１ｐ）は、第１のミキサ回路４０４の第１の局部発振器入力に供給され得る。同様に、第２のハイブリッド１０４の第１の出力１２２は、第１のミキサ回路４０４の第２の局部発振器入力に結合され得る。たとえば、第２のハイブリッド１０４によって生成される第１の出力信号（ｖｏ１ｍ）は、第１のミキサ回路４０４の第２の局部発振器入力に供給され得る。例を挙げて説明するために、第１の出力信号（ｖｏ１ｐ）および第１の出力信号（ｖｏ１ｍ）は、第１のミキサ回路４０４の第１の局部発振器入力および第１のミキサ回路４０４の第２の局部発振器入力に第１の差動出力信号（ｖｏ１ｐ、ｖｏ１ｍ）として供給され得る。
【００７７】
[0084]特定の一実施形態では、第１のハイブリッド１０２の第２の出力１２４は、第２のミキサ回路４０６の第１の局部発振器入力に結合され得る。たとえば、第１のハイブリッド１０２によって生成される第２の出力信号（ｖｏ２ｐ）は、第２のミキサ回路４０６の第１の局部発振器入力に供給され得る。同様に、第２のハイブリッド１０４の第２の出力１２６は、第２のミキサ回路４０６の第２の局部発振器入力に結合され得る。たとえば、第２のハイブリッド１０４によって生成される第２の出力信号（ｖｏ２ｍ）は、第２のミキサ回路４０６の第２の局部発振器入力に供給され得る。例を挙げて説明するために、第２の出力信号（ｖｏ２ｐ）および第２の出力信号（ｖｏ２ｍ）は、第２のミキサ回路４０６の第１の局部発振器入力および第２のミキサ回路４０６の第２の局部発振器入力に第２の差動出力信号（ｖｏ２ｐ、ｖｏ２ｍ）として供給され得る。
【００７８】
[0085]特定の一実施形態では、第１のミキサ回路４０４は、線４１０上で第１のミキサ入力信号を受信し、線４０８上で第１のミキサ出力信号を生成するように構成され得る。たとえば、第１のミキサ回路４０４は、第１の差動出力信号（ｖｏ１ｐ、ｖｏ１ｍ）に基づいて線４０８上で第１のミキサ出力信号と、線４１０上で第１のミキサ入力信号とを生成し得る。たとえば、線４１０上の第１のミキサ入力信号および線４０８上の第１のミキサ出力信号は各々、差動信号であってよい。例を挙げて説明するために、第１のミキサ回路４０４は、第１のミキサ出力信号が第１の周波数成分と第２の周波数成分とを含むように、第１のミキサ出力信号を生成することができる。たとえば、第１のミキサ出力信号の第１の周波数成分は、線４１０上の第１のミキサ入力信号の周波数と第１の差動出力信号（ｖｏ１ｐ、ｖｏ１ｍ）の周波数の合計に相当することができる。第１のミキサ出力信号の第２の周波数成分は、線４１０上の第１のミキサ入力信号の周波数と第１の差動出力信号（ｖｏ１ｐ、ｖｏ１ｍ）の周波数の差に相当することができる。
【００７９】
[0086]特定の一実施形態では、デバイス４０２および第１のミキサ回路４０４は、デバイス４０２に供給される差動入力信号（ｖｉｐ、ｖｉｍ）の周波数（１５ＧＨｚ）よりも高い周波数（たとえば４５ＧＨｚ）を有する第１のミキサ出力信号を線４０８上で生成することによって、副高調波ミキサとして動作することができる。たとえば、図１のデバイス１００に関して説明したように、デバイス４０２（図１のデバイス１００に相当する）は、１５ＧＨｚの周波数を有する差動入力信号（ｖｉｐ、ｖｉｍ）に基づいて、４５ＧＨｚの周波数を有する第１の差動出力信号（ｖｏ１ｐ、ｖｏ１ｍ）を生成することができる。線４１０上の第１のミキサ入力信号が、ゼロの周波数を有する直流（ＤＣ）信号である場合、第１のミキサ回路４０４は、第１のミキサ出力信号が第１の差動出力信号（ｖｏ１ｐ、ｖｏ１ｍ）の４５ＧＨｚの周波数および線４１０上の第１のミキサ入力信号のゼロの周波数に基づいて４５ＧＨＺの周波数を有するように、第１のミキサ出力信号を線４０８上で生成することができる。
【００８０】
[0087]特定の一実施形態では、第２のミキサ回路４０６は、線４０８上で第１のミキサ出力信号を受信し、線４１２上で第２のミキサ出力信号を生成するように構成され得る。たとえば、第２のミキサ回路４０６は、第２の差動出力信号（ｖｏ２ｐ、ｖｏ２ｍ）に基づいて線４１２上の第２のミキサ出力信号を生成し得る。例を挙げて説明するために、第２のミキサ回路４０６は、第２のミキサ出力信号が第１の周波数成分と第２の周波数成分とを含むように、第２のミキサ出力信号を生成することができる。たとえば、第２のミキサ出力信号の第１の周波数成分は、線４０８上の第１のミキサ出力信号の周波数と第２の差動出力信号（ｖｏ２ｐ、ｖｏ２ｍ）の周波数の合計に相当することができる。第２のミキサ出力信号の第２の周波数成分は、線４０８上の第１のミキサ出力信号の周波数と第２の差動出力信号（ｖｏ２ｐ、ｖｏ２ｍ）の周波数の差に相当することができる。
【００８１】
[0088]動作中、デバイス４０２は、１５ＧＨｚの周波数を有する差動入力信号（ｖｉｐ、ｖｉｍ）を受信することができる。例を挙げて説明するために、第１の入力信号（ｖｉｐ）および第２の入力信号（ｖｉｍ）は各々、１５ＧＨｚの周波数を有することができる。図１のデバイス１００に関して説明したように、デバイス４０２は、４５ＧＨｚの周波数を有する第１の差動出力信号（ｖｏ１ｐ、ｖｏ１ｍ）を生成することができる。デバイス４０２は、１５ＧＨｚの周波数と４５ＧＨｚの抑圧周波数成分とを有する第２の差動出力信号（ｖｏ２ｐ、ｖｏ２ｍ）も生成することができる。
【００８２】
[0089]第１のミキサ回路４０４は、線４１０上の第１のミキサ入力信号と第１の差動出力信号（ｖｏ１ｐ、ｖｏ１ｍ）とを受信し、線４０８上で第１のミキサ出力信号を生成することができる。たとえば、第１のミキサ入力信号がＤＣ信号である場合、線４０８上の第１のミキサ出力信号は４５ＧＨｚの周波数を有することができる。第２のミキサ回路４０６は、第１のミキサ回路４０４からの４５ＧＨｚの信号と、デバイス４０２からの第２の差動出力信号（ｖｏ２ｐ、ｖｏ２ｍ）とを受信し、線４１２上で第２のミキサ出力信号を生成することができる。第２のミキサ出力信号は、線４０８上の第１のミキサ出力信号の４５ＧＨｚの周波数および第２の差動出力信号（ｖｏ２ｐ、ｖｏ２ｍ）の１５ＧＨｚの周波数に基づいて、６０ＧＨｚの周波数を有することができる。
【００８３】
[0090]デバイス４０２が、図２のデバイス２００に関して説明したように動作するとき、第１の差動出力信号（ｖｏ１ｐ、ｖｏ１ｍ）は、差動入力信号（ｖｉｐ、ｖｉｍ）の周波数に相当する周波数（たとえば１５ＧＨｚ）を有することができる。第１の差動出力信号（ｖｏ１ｐ、ｖｏ１ｍ）は、４５ＧＨｚの抑圧周波数成分も有することができる。第２の差動出力信号（ｖｏ２ｐ、ｖｏ２ｍ）は、周波数（たとえば、差動入力信号（ｖｉｐ、ｖｉｍ）の第３の高調波成分に相当する４５ＧＨｚ）を有することができる。第１のミキサ回路４０４および第２のミキサ回路４０６は、第１の差動出力信号（ｖｏ１ｐ、ｖｏ１ｍ）および第２の差動出力信号（ｖｏ２ｐ、ｖｏ２ｍ）の周波数に基づいて、説明した様式で動作することができる。
【００８４】
[0091]差動入力信号（ｖｉｐ、ｖｉｍ）の高調波成分を分離することによって、所望の周波数を有する線４０８上の第１のミキサ出力信号が生成され得る。線４０８上で第１のミキサ出力信号を生成することによって、デバイス４０２および第１のミキサ回路４０４は、第１の周波数を有する入力信号（たとえば差動入力信号（ｖｉｐ、ｖｉｍ））を受信して第１の周波数よりも高い周波数を有するミキサ出力信号を生成する副高調波ミキサとして動作することができる。第１のミキサ出力信号に基づいて線４１２上で第２のミキサ出力信号を生成することによって、システム４００は、線４１０上の第１のミキサ回路４０４に供給され得るベースバンド信号または中間周波（ＩＦ：intermediate frequency）信号に基づいて無線周波数（ＲＦ）信号生成で使用され得る。
【００８５】
[0092]図４は、線４０８を介して互いに結合された第１のミキサ回路４０４と第２のミキサ回路４０６とを示しているが、他の実施形態では、線４０８上の第１のミキサ出力信号は、第２のミキサ回路４０６の代わりに他のシステム構成要素に供給され得る。同様に、第２のミキサ回路４０６は、第１のミキサ回路４０４の代わりに別のシステム構成要素から入力信号（たとえばベースバンド信号またはＩＦ信号）を受信することができる。
【００８６】
[0093]図５を参照すると、図１のデバイス１００の動作などによって高調波抽出と除去とを実行する方法の特定の例示的な実施形態が示されており、全体的に５００と指定されている。方法５００は、第１の増幅器で第１の入力信号を受信することを５０２に含む。たとえば、図１の第１の増幅器１０６は、図１の差動入力信号（ｖｉｐ、ｖｉｍ）の第１の入力信号（ｖｉｐ）を受信することができる。第１の増幅器の出力は、第１のハイブリッドの第１の入力に結合され得る。たとえば、第１の増幅器１０６の出力は、図１の第１のハイブリッド１０２の第１の入力に結合され得る。第２の増幅器は、５０４で、第２の入力信号を受信することができる。たとえば、図１の第２の増幅器１０８は、図１の差動入力信号（ｖｉｐ、ｖｉｍ）の第２の入力信号（ｖｉｍ）を受信することができる。第２の増幅器の出力は、第２のハイブリッドの第１の入力に結合され得る。たとえば、第２の増幅器１０８の出力は、図１の第２のハイブリッド１０４の第１の入力に結合され得る。
【００８７】
[0094]方法５００は、第１の移相器で第１の入力信号を受信することを５０６に含むことができる。たとえば、図１の第１の移相器１１６は、差動入力信号（ｖｉｐ、ｖｉｍ）の第１の入力信号（ｖｉｐ）を受信することができる。第１の移相器の出力は第３の増幅器の入力に結合され得、第３の増幅器の出力は第２のハイブリッドの第２の入力に結合される。たとえば、第１の移相器１１６の出力は、図１の第３の増幅器１１０の入力に結合され得る。第３の増幅器１１０の出力は、第２のハイブリッド１０４の第２の入力に結合され得る。
【００８８】
[0095]第２の移相器は、５０８で、第２の入力信号を受信することができる。たとえば、図１の第２の移相器１１８は、差動入力信号（ｖｉｐ、ｖｉｍ）の第２の入力信号（ｖｉｍ）を受信することができる。第２の移相器の出力は第４の増幅器の入力に結合され得、第４の増幅器の出力は第１のハイブリッドの第２の入力に結合され得る。たとえば、第２の移相器１１８の出力は、図１の第４の増幅器１１２の入力に結合され得る。第４の増幅器１１２の出力は、第１のハイブリッド１０２の第２の入力に結合され得る。
【００８９】
[0096]図５の方法５００は、特定用途向け集積回路（ＡＳＩＣ）、フィールドプログラマブルゲートアレイ（ＦＰＧＡ）デバイス、中央処理装置（ＣＰＵ）などの処理ユニット、デジタルシグナルプロセッサ（ＤＳＰ）、コントローラ、別のハードウェアデバイス、ファームウェアデバイス、またはこれらの何らかの組合せによって実施され得る。一例として、図５の方法は、図７に関して説明するように、命令を実行するプロセッサからの信号またはコマンドによってまたはこれに応答して実行可能である。
【００９０】
[0097]図６を参照すると、図２のデバイス２００の動作などによって高調波抽出と除去とを実行する方法の特定の例示的な実施形態が示されており、全体的に６００と指定されている。方法６００は、第１の増幅器で第１の入力信号を受信することを６０２に含む。たとえば、図２の第１の増幅器１０６は、図２の差動入力信号（ｖｉｐ、ｖｉｍ）の第１の入力信号（ｖｉｐ）を受信することができる。第１の増幅器の出力は、第１のハイブリッドの第１の入力に結合され得る。たとえば、第１の増幅器１０６の出力は、図２の第１のハイブリッド１０２の第１の入力に結合され得る。第２の増幅器は、６０４で、第２の入力信号を受信することができる。たとえば、図２の第２の増幅器１０８は、図２の差動入力信号（ｖｉｐ、ｖｉｍ）の第２の入力信号（ｖｉｍ）を受信することができる。第２の増幅器の出力は、第２のハイブリッドの第１の入力に結合され得る。たとえば、第２の増幅器１０８の出力は、図２の第２のハイブリッド１０４の第１の入力に結合され得る。
【００９１】
[0098]方法６００は、第１の移相器で第１の入力信号を受信することを６０６に含むことができる。たとえば、図２の第１の移相器１１６は、差動入力信号（ｖｉｐ、ｖｉｍ）の第１の入力信号（ｖｉｐ）を受信することができる。第１の移相器の出力は第３の増幅器の入力に結合され得、第３の増幅器の出力は第１のハイブリッドの第２の入力に結合され得る。たとえば、第１の移相器１１６の出力は、図２の第３の増幅器１１０の入力に結合され得る。第３の増幅器１１０の出力は、第１のハイブリッド１０２の第２の入力に結合され得る。
【００９２】
[0099]第２の移相器は、６０８で、第２の入力信号を受信することができる。たとえば、図２の第２の移相器１１８は、差動入力信号（ｖｉｐ、ｖｉｍ）の第２の入力信号（ｖｉｍ）を受信することができる。第２の移相器の出力は第４の増幅器の入力に結合され得、第４の増幅器の出力は第２のハイブリッドの第２の入力に結合され得る。たとえば、第２の移相器１１８の出力は、図２の第４の増幅器１１２の入力に結合され得る。第４の増幅器１１２の出力は、第２のハイブリッド１０４の第２の入力に結合され得る。
【００９３】
[00100]図６の方法６００は、特定用途向け集積回路（ＡＳＩＣ）、フィールドプログラマブルゲートアレイ（ＦＰＧＡ）デバイス、中央処理装置（ＣＰＵ）などの処理ユニット、デジタルシグナルプロセッサ（ＤＳＰ）、コントローラ、別のハードウェアデバイス、ファームウェアデバイス、またはこれらの何らかの組合せによって実施され得る。一例として、図６の方法は、図７に関して説明するように、命令を実行するプロセッサからの信号またはコマンドによってまたはこれに応答して実行可能である。
【００９４】
[00101]図７を参照すると、高調波抽出および除去回路を含むワイヤレス通信デバイスの特定の例示的な実施形態のブロック図が示されており、全体的に７００と指定されている。ワイヤレス通信デバイス７００は、メモリ７３２に結合された、デジタルシグナルプロセッサ（ＤＳＰ）などの、プロセッサユニット７１０を含む。ワイヤレス通信デバイス７００は、高調波抽出および除去回路７６４を含むことができる。例示的な一実施形態では、高調波抽出および除去回路７６４は、図１のデバイス１００、図２のデバイス２００、図３のシステム３００、図４のデバイス４０２に相当することができ、または図５の方法、図６の方法、もしくはこれらの何らかの組合せに従って動作することができる。
【００９５】
[00102]メモリ７３２は、プロセッサユニット７１０に、線１３０を介して第１の信号と線１３２を介して第２の信号とを高調波抽出および除去回路７６４に提供させるためにプロセッサユニット７１０（たとえばコンピュータ）によって実行可能なプログラムコードを記憶する非一時的なコンピュータ可読媒体であってよい。
【００９６】
[00103]図７は、プロセッサユニット７１０とディスプレイ７２８に結合されたディスプレイコントローラ７２６も示す。符号化器／復号器（コーデック）７３４もプロセッサユニット７１０に結合可能である。スピーカ７３６およびマイクロホン７３８はコーデック７３４に結合可能である。
【００９７】
[00104]図７は、ワイヤレスコントローラ７４０がプロセッサユニット７１０とワイヤレスアンテナ７４２に結合できることを示す。特定の一実施形態では、プロセッサユニット７１０、高調波抽出および除去回路７６４、ディスプレイコントローラ７２６、メモリ７３２、コーデック７３４、およびワイヤレスコントローラ７４０は、システムインパッケージデバイスまたはシステムオンチップデバイス７２２に含まれる。たとえば、高調波抽出および除去回路７６４は、ワイヤレスコントローラ７４０が、ワイヤレスアンテナ７４２を介して受信した信号を処理するように、差動局部発振器信号（たとえば、図１、図２、および図３の（ｖｏ１ｐ、ｖｏ１ｍ）または図１、図２、および図３の（ｖｏ２ｐ、ｖｏ２ｍ））をワイヤレスコントローラ７４０に供給することができる。別の例として、高調波抽出および除去回路７６４は、ワイヤレスコントローラ７４０が、ワイヤレスアンテナ７４２を介した送信のために信号を処理するように、差動局部発振器信号（たとえば、図１、図２、および図３の（ｖｏ１ｐ、ｖｏ１ｍ）または図１、図２、および図３の（ｖｏ２ｐ、ｖｏ２ｍ））をワイヤレスコントローラ７４０に供給することができる。特定の一実施形態では、入力デバイス７３０および電源７４４は、システムオンチップデバイス７２２に結合される。その上、特定の一実施形態では、図７に示されるように、ディスプレイ７２８、入力デバイス７３０、スピーカ７３６、マイクロホン７３８、ワイヤレスアンテナ７４２、および電源７４４は、システムオンチップデバイス７２２の外部にある。しかしながら、ディスプレイ７２８、入力デバイス７３０、スピーカ７３６、マイクロホン７３８、ワイヤレスアンテナ７４２、および電源７４４の各々は、インターフェースまたはコントローラなどのシステムオンチップデバイス７２２の構成要素に結合可能である。
【００９８】
[00105]図７は、ワイヤレス通信デバイス７００の特定の実施形態を示しているが、１つまたは複数の回路（たとえば高調波抽出および除去回路７６４）が、セットトップボックスと、音楽プレーヤと、ビデオプレーヤと、エンターテイメントユニットと、ナビゲーションデバイスと、通信デバイスと、携帯情報端末（ＰＤＡ）と、固定場所データユニットと、コンピュータとを含む他の電子デバイスに統合されてよい。
【００９９】
[00106]説明する実施形態に関連して、第１の出力信号と第２の出力信号とを生成するための第１の手段を含むことができる装置が開示され、第１の出力信号は第２の出力信号から移相され、生成するための第１の手段の第１の入力は、増幅するための第１の手段の出力に結合され、増幅するための第１の手段は、第１の入力信号を受信するように構成される。たとえば、第１の出力信号と第２の出力信号とを生成するための第１の手段としては、図１、図３、および図４の第１のハイブリッド１０２があり得る。増幅するための第１の手段としては、図１および図３の第１の増幅器１０６があり得る。装置は、第３の出力信号と第４の出力信号とを生成するための第２の手段も含むことができ、第３の出力信号は第４の出力信号から移相され、生成するための第２の手段の第１の入力は、増幅するための第２の手段の出力に結合され、増幅するための第２の手段は、第２の入力信号を受信するように構成される。たとえば、第３の出力信号と第４の出力信号とを生成するための第２の手段としては、図１、図３、および図４の第２のハイブリッド１０４があり得る。増幅するための第２の手段としては、図１および図３の第２の増幅器１０８があり得る。
【０１００】
[00107]装置は、第１の入力信号を受信するように構成された移相するための第１の手段をさらに含むことができ、移相するための第１の手段の出力は、増幅するための第３の手段の入力に結合され、増幅するための第３の手段の出力は、生成するための第２の手段の第２の入力に結合される。たとえば、移相するための第１の手段は、図１および図３の第１の移相器１１６を含むことができる。増幅するための第３の手段としては、図１および図３の第３の増幅器１１０があり得る。装置は、第２の入力信号を受信するように構成された移相するための第２の手段も含むことができ、移相するための第２の手段の出力は、増幅するための第４の手段の入力に結合され、増幅するための第４の手段の出力は、生成するための第１の手段の第２の入力に結合される。たとえば、移相するための第２の手段としては、図１および図３の第２の移相器１１８があり得る。増幅するための第４の手段としては、図１および図３の第４の増幅器１１２があり得る。
【０１０１】
[00108]説明する実施形態に関連して、第１の出力信号と第２の出力信号とを生成するための第１の手段を含むことができる別の装置が開示され、第１の出力信号は第２の出力信号から移相され、生成するための第１の手段の第１の入力は、増幅するための第１の手段の出力に結合され、増幅するための第１の手段は、第１の入力信号を受信するように構成される。たとえば、第１の出力信号と第２の出力信号とを生成するための第１の手段としては、図２および図４の第１のハイブリッド１０２があり得る。増幅するための第１の手段としては、図２の第１の増幅器１０６があり得る。装置は、第３の出力信号と第４の出力信号とを生成するための第２の手段も含むことができ、第３の出力信号は第４の出力信号から移相され、生成するための第２の手段の第１の入力は、増幅するための第２の手段の出力に結合され、増幅するための第２の手段は、第２の入力信号を受信するように構成される。たとえば、第３の出力信号と第４の出力信号とを生成するための第２の手段としては、図２および図４の第２のハイブリッド１０４があり得る。増幅するための第２の手段としては、図２の第２の増幅器１０８があり得る。
【０１０２】
[00109]装置は、第１の入力信号を受信するように構成された移相するための第１の手段をさらに含むことができ、移相するための第１の手段の出力は増幅するための第３の手段の入力に結合され、増幅するための第３の手段の出力は生成するための第１の手段の第２の入力に結合される。たとえば、移相するための第１の手段としては、図図２の第１の移相器１１６があり得る。増幅するための第３の手段としては、図図２の第３の増幅器１１０があり得る。装置は、第２の入力信号を受信するように構成された移相するための第２の手段も含むことができ、移相するための第２の手段の出力は増幅するための第４の手段の入力に結合され、増幅するための第４の手段の出力は生成するための第２の手段の第２の入力に結合される。たとえば、移相するための第２の手段としては、図２の第２の移相器１１８があり得る。増幅するための第４の手段としては、図図２の第４の増幅器１１２があり得る。
【０１０３】
[00110]さらに、本明細書で開示する実施形態に関して説明した様々な例示的な論理ブロック、構成、モジュール、回路、およびアルゴリズムステップは、電子ハードウェア、プロセッサによって実行されるコンピュータソフトウェア、または両方の組合せとして実施され得ることは、当業者には諒解されよう。様々な例示的な構成要素、ブロック、構成、モジュール、回路、およびステップについて、その機能に関して全般的に上記で説明してきた。そのような機能がハードウェアとして実施されるかそれともプロセッサ実行可能命令として実施されるかは、特定の適用例および全体的なシステムに課せられた設計制約によって決まる。当業者は、説明した機能を各特定の適用例に関する様々な方法で実施することができるが、そのような実施の決定は、本開示の範囲からの逸脱を引き起こすと解釈されるべきではない。
【０１０４】
[00111]本明細書で開示する実施形態に関して説明する方法またはアルゴリズムのステップは、ハードウェアで直接実施されてもよいし、プロセッサによって実行されるソフトウェアモジュールで実施されてもよいし、この２つの組合せで直接実施されてもよい。ソフトウェアモジュールは、ランダムアクセスメモリ（ＲＡＭ）、フラッシュメモリ、読出し専用メモリ（ＲＯＭ）、プログラマブル読出し専用メモリ（ＰＲＯＭ）、消去可能プログラマブル読出し専用メモリ（ＥＰＲＯＭ）、電気消去可能プログラマブル読出し専用メモリ（ＥＥＰＲＯＭ（登録商標））、レジスタ、ハードディスク、リムーバブルディスク、コンパクトディスク読出し専用メモリ（ＣＤ−ＲＯＭ）、または当技術分野で知られている任意の他の形態の非一時的な記憶媒体に存在することができる。例示的な記憶媒体は、プロセッサが記憶媒体から情報を読み出し、記憶媒体に情報を書き込むことができるように、プロセッサに結合される。代替として、記憶媒体は、プロセッサの一部であってもよい。プロセッサおよび記憶媒体は、特定用途向け集積回路（ＡＳＩＣ）に存在することができる。ＡＳＩＣは、コンピューティングデバイスまたはユーザ端末に存在することができる。代替として、プロセッサおよび記憶媒体は、コンピューティングデバイスまたはユーザ端末内の個別構成要素として存在することができる。
【０１０５】
[00112]開示する実施形態の先の説明は、当業者が開示する実施形態を作製または使用することを可能にするために提供されるものである。これらの実施形態に対する様々な変更は、当業者には容易に明らかであり、本明細書で定義される原理は、本開示の範囲から逸脱することなく他の実施形態に適用され得る。したがって、本開示は、本明細書に示される実施形態に限定されることを意図するものではなく、本開示には、以下の特許請求の範囲によって定義される原理および新規な特徴と一致する可能な最も広い範囲が与えられるべきである。
以下に、本願出願の当初の特許請求の範囲に記載された発明を付記する。
［Ｃ１］
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、
を備えるデバイス。
［Ｃ２］
前記第１のハイブリッドは第１の９０度ハイブリッドを備える、および、前記第２のハイブリッドは第２の９０度ハイブリッドを備える、Ｃ１に記載のデバイス。
［Ｃ３］
前記第１の量は約９０度である、Ｃ１に記載のデバイス。
［Ｃ４］
前記第２の量は約９０度である、Ｃ１に記載のデバイス。
［Ｃ５］
前記第１の入力信号が０度の位相を有するとき、前記第１の増幅器は、０度の位相を有する少なくとも１つの高調波を含む第１の増幅信号を出力し、
前記第１の入力信号が１８０度の位相を有するとき、前記第１の増幅器は、１８０度の位相を有する少なくとも１つの高調波を含む前記第１の増幅信号を出力し、
前記第２の入力信号が０度の位相を有するとき、前記第２の増幅器は、０度の位相を有する少なくとも１つの高調波を含む第２の増幅信号を出力し、
前記第２の入力信号が１８０度の位相を有するとき、前記第２の増幅器は、１８０度の位相を有する少なくとも１つの高調波を含む前記第２の増幅信号を出力する、
Ｃ１に記載のデバイス。
［Ｃ６］
前記第１の移相信号が９０度または２７０度の位相を有するとき、前記第３の増幅器は、９０度の位相を有する少なくとも１つの高調波と２７０度の位相を有する少なくとも１つの高調波とを含む第３の増幅信号を出力し、
前記第２の移相信号が９０度または２７０度の位相を有するとき、前記第４の増幅器は、９０度の位相を有する少なくとも１つの高調波と２７０度の位相を有する少なくとも１つの高調波とを含む第４の増幅信号を出力する、
Ｃ１に記載のデバイス。
［Ｃ７］
前記第１のハイブリッドの第１の出力はミキサ回路の第１の局部発振器入力に結合される、および、前記第２のハイブリッドの第１の出力は前記ミキサ回路の第２の局部発振器入力に結合される、Ｃ１に記載のデバイス。
［Ｃ８］
前記第１のハイブリッドの第２の出力は第１の終端抵抗を介して接地電位に結合される、および、前記第２のハイブリッドの第２の出力は第２の終端抵抗を介して前記接地電位に結合される、Ｃ７に記載のデバイス。
［Ｃ９］
前記第１のハイブリッドの第１の出力信号は前記第１の入力信号の第３の高調波に相当する、前記第２のハイブリッドの第１の出力信号は前記第２の入力信号の第３の高調波に相当する、前記第１のハイブリッドの第２の出力信号は前記第１の入力信号の第１の高調波に相当する、および、前記第２のハイブリッドの第２の出力信号は前記第２の入力信号の第１の高調波に相当する、Ｃ１に記載のデバイス。
［Ｃ１０］
前記第１のハイブリッドの第２の出力は第２のミキサ回路の第１の局部発振器入力に結合される、および、前記第２のハイブリッドの第２の出力は前記第２のミキサ回路の第２の局部発振器入力に結合される、Ｃ１に記載のデバイス。
［Ｃ１１］
第１のミキサ回路の出力は前記第２のミキサ回路の入力に結合される、Ｃ１０に記載のデバイス。
［Ｃ１２］
前記第２の入力信号は前記第１の入力信号から１８０度移相される、Ｃ１に記載のデバイス。
［Ｃ１３］
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第１のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第２のハイブリッドの第２の入力に結合される、
を備えるデバイス。
［Ｃ１４］
前記第１のハイブリッドは第１の９０度ハイブリッドを備える、および、前記第２のハイブリッドは第２の９０度ハイブリッドを備える、Ｃ１３に記載のデバイス。
［Ｃ１５］
前記第１の量は約９０度である、および、前記第２の量は約９０度である、Ｃ１３に記載のデバイス。
［Ｃ１６］
前記第１のハイブリッドの第１の出力信号は前記第１の入力信号の第１の高調波に相当する、前記第２のハイブリッドの第１の出力信号は前記第２の入力信号の第１の高調波に相当する、前記第１のハイブリッドの第２の出力信号は前記第１の入力信号の第３の高調波に相当する、および前記第２のハイブリッドの第２の出力信号は前記第２の入力信号の第３の高調波に相当する、Ｃ１３に記載のデバイス。
［Ｃ１７］
前記第１のハイブリッドの出力はミキサ回路の第１の入力に結合される、および前記第２のハイブリッドの出力は前記ミキサ回路の第２の入力に結合される、Ｃ１３に記載のデバイス。
［Ｃ１８］
前記第１のハイブリッドの第２の出力は第２のミキサ回路の第１の入力に結合される、および、前記第２のハイブリッドの第２の出力は前記第２のミキサ回路の第２の入力に結合される、Ｃ１７に記載のデバイス。
［Ｃ１９］
第１の入力信号を第１の増幅器で受信し、前記第１の入力信号を増幅して第１の増幅信号を生成することと、ここにおいて、前記第１の増幅信号は、前記第１の増幅器によって出力され、第１のハイブリッドの第１の入力に結合される、
第２の入力信号を第２の増幅器で受信し、前記第２の入力信号を増幅して第２の増幅信号を生成することと、ここにおいて、前記第２の増幅信号は、前記第２の増幅器によって出力され、第２のハイブリッドの第１の入力に結合される、
前記第１の入力信号を第１の移相器で受信し、前記第１の入力信号を移相して第１の移相信号を生成することと、ここにおいて、前記第１の移相信号は、前記第１の移相器によって出力され、第３の増幅器の入力に結合される、およびここにおいて、前記第３の増幅器の出力は前記第２のハイブリッドの第２の入力に結合される、
前記第２の入力信号を第２の移相器で受信し、前記第２の入力信号を移相して第２の移相信号を生成することと、ここにおいて、前記第２の移相信号は、前記第２の移相器によって出力され、第４の増幅器の入力に結合される、およびここにおいて、前記第４の増幅器の出力は前記第１のハイブリッドの第２の入力に結合される、
を備える方法。
［Ｃ２０］
前記第１の移相信号は前記第１の入力信号の位相から第１の量だけ移相される、および、前記第２の移相信号は前記第２の入力信号の位相から第２の量だけ移相される、Ｃ１９に記載の方法。
［Ｃ２１］
前記第１の量は約９０度である、および、前記第２の量は約９０度である、Ｃ２０に記載の方法。
［Ｃ２２］
前記第１のハイブリッドの第１の出力信号は前記第１の入力信号の第３の高調波に相当する、前記第２のハイブリッドの第１の出力信号は前記第２の入力信号の第３の高調波に相当する、前記第１のハイブリッドの第２の出力信号は前記第１の入力信号の第１の高調波に相当する、および、前記第２のハイブリッドの第２の出力信号は前記第２の入力信号の第１の高調波に相当する、Ｃ１９に記載の方法。
［Ｃ２３］
前記第１のハイブリッドの前記第１の出力信号は第１のミキサ回路の第１の局部発振器入力に供給される、および前記第２のハイブリッドの前記第１の出力信号は前記第１のミキサ回路の第２の局部発振器入力に供給される、Ｃ２２に記載の方法。
［Ｃ２４］
前記第１のハイブリッドの前記第２の出力信号は第２のミキサ回路の第１の局部発振器入力に供給される、および、前記第２のハイブリッドの前記第２の出力信号は前記第２のミキサ回路の第２の局部発振器入力に供給される、Ｃ２３に記載の方法。
［Ｃ２５］
前記第１のミキサ回路の出力信号は前記第２のミキサ回路に供給される、ならびに、前記第１のミキサ回路は、ミキサ入力信号、前記第１のハイブリッドの前記第１の出力信号、および前記第２のハイブリッドの前記第１の出力信号に基づいて、前記第１のミキサ回路の前記出力信号を生成する、Ｃ２４に記載の方法。
［Ｃ２６］
前記第１のハイブリッドの前記第２の出力信号は、接地に結合された第１の終端抵抗に供給される、および、前記第２のハイブリッドの前記第２の出力信号は、前記接地に結合された第２の終端抵抗に供給される、Ｃ２３に記載の方法。
［Ｃ２７］
第１の入力信号を第１の増幅器で受信し、前記第１の入力信号を増幅して第１の増幅信号を生成することと、ここにおいて、前記第１の増幅信号は、前記第１の増幅器によって出力され、第１のハイブリッドの第１の入力に結合される、
第２の入力信号を第２の増幅器で受信し、前記第２の入力信号を増幅して第２の増幅信号を生成することと、ここにおいて、前記第２の増幅信号は、前記第２の増幅器によって出力され、第２のハイブリッドの第１の入力に結合される、
前記第１の入力信号を第１の移相器で受信し、前記第１の入力信号を移相して第１の移相信号を生成することと、ここにおいて、前記第１の移相信号は、前記第１の移相器によって出力され、第３の増幅器の入力に結合される、およびここにおいて、前記第３の増幅器の出力は前記第１のハイブリッドの第２の入力に結合される、
前記第２の入力信号を第２の移相器で受信し、前記第２の入力信号を移相して第２の移相信号を生成することと、ここにおいて、前記第２の移相信号は、前記第２の移相器によって出力され、第４の増幅器の入力に結合される、およびここにおいて、前記第４の増幅器の出力は前記第２のハイブリッドの第２の入力に結合される、
を備える方法。
［Ｃ２８］
前記第１の移相信号は前記第１の入力信号の位相から第１の量だけ移相される、および、前記第２の移相信号は前記第２の入力信号の位相から第２の量だけ移相される、Ｃ２７に記載の方法。
［Ｃ２９］
前記第１の量は約９０度である、および、前記第２の量は約９０度である、Ｃ２８に記載の方法。
［Ｃ３０］
前記第１のハイブリッドの第１の出力信号は前記第１の入力信号の第１の高調波に相当する、前記第２のハイブリッドの第１の出力信号は前記第２の入力信号の第１の高調波に相当する、前記第１のハイブリッドの第２の出力信号は前記第１の入力信号の第３の高調波に相当する、および、前記第２のハイブリッドの第２の出力信号は前記第２の入力信号の第３の高調波に相当する、Ｃ２７に記載の方法。
［Ｃ３１］
第１の出力信号と第２の出力信号とを生成するための第１の手段と、ここにおいて、前記第１の出力信号は前記第２の出力信号から移相される、ここにおいて、前記生成するための第１の手段の第１の入力は、増幅するための第１の手段の出力に結合される、およびここにおいて、前記増幅するための第１の手段は、第１の入力信号を受信するように構成される、
第３の出力信号と第４の出力信号とを生成するための第２の手段と、ここにおいて、前記第３の出力信号が前記第４の出力信号から移相される、ここにおいて、前記生成するための第２の手段の第１の入力は、増幅するための第２の手段の出力に結合される、およびここにおいて、前記増幅するための第２の手段は、第２の入力信号を受信するように構成される、
前記第１の入力信号を受信するように構成された移相するための第１の手段と、ここにおいて、前記移相するための第１の手段の出力は、増幅するための第３の手段の入力に結合される、およびここにおいて、前記増幅するための第３の手段の出力は、前記生成するための第２の手段の第２の入力に結合される、
前記第２の入力信号を受信するように構成された移相するための第２の手段と、ここにおいて、前記移相するための第２の手段の出力は、増幅するための第４の手段の入力に結合される、およびここにおいて、前記増幅するための第４の手段の出力は、前記生成するための第１の手段の第２の入力に結合される、
を備える装置。
［Ｃ３２］
前記移相するための第１の手段は、前記第１の入力信号の位相から第１の量だけ移相された第１の移相信号を出力するように構成される、および、前記移相するための第２の手段は、前記第２の入力信号の位相から第２の量だけ移相された第２の移相信号を出力するように構成される、Ｃ３１に記載の装置。
［Ｃ３３］
前記第１の量は約９０度である、および、前記第２の量は約９０度である、Ｃ３２に記載の装置。
［Ｃ３４］
前記生成するための第１の手段の第１の出力信号は前記第１の入力信号の第３の高調波に相当する、前記生成するための第２の手段の第１の出力信号は前記第２の入力信号の第３の高調波に相当する、前記生成するための第１の手段の第２の出力信号は前記第１の入力信号の第１の高調波に相当する、および、前記生成するための第２の手段の第２の出力信号は前記第２の入力信号の第１の高調波に相当する、Ｃ３２に記載の装置。
［Ｃ３５］
第１の出力信号と第２の出力信号とを生成するための第１の手段と、ここにおいて、前記第１の出力信号は前記第２の出力信号から移相される、ここにおいて、前記生成するための第１の手段の第１の入力は、増幅するための第１の手段の出力に結合される、およびここにおいて、前記増幅するための第１の手段は、第１の入力信号を受信するように構成される、
第３の出力信号と第４の出力信号とを生成するための第２の手段と、ここにおいて、前記第３の出力信号は前記第４の出力信号から移相される、ここにおいて、前記生成するための第２の手段の第１の入力は、増幅するための第２の手段の出力に結合される、およびここにおいて、前記増幅するための第２の手段は、第２の入力信号を受信するように構成される、
前記第１の入力信号を受信するように構成された移相するための第１の手段と、ここにおいて、前記移相するための第１の手段の出力は、増幅するための第３の手段の入力に結合される、およびここにおいて、前記増幅するための第３の手段の出力は、前記生成するための第１の手段の第２の入力に結合される、
前記第２の入力信号を受信するように構成された移相するための第２の手段と、ここにおいて、前記移相するための第２の手段の出力は、増幅するための第４の手段の入力に結合される、およびここにおいて、前記増幅するための第４の手段の出力は、前記生成するための第２の手段の第２の入力に結合される、
を備える装置。
［Ｃ３６］
前記移相するための第１の手段は、前記第１の入力信号の位相から第１の量だけ移相された第１の移相信号を出力するように構成される、および、前記移相するための第２の手段は、前記第２の入力信号の位相から第２の量だけ移相された第２の移相信号を出力するように構成される、Ｃ３５に記載の装置。
［Ｃ３７］
前記第１の量は約９０度である、および、前記第２の量は約９０度である、Ｃ３６に記載の装置。
［Ｃ３８］
プロセッサによって実行されたとき、前記プロセッサに信号をデバイスに供給させる命令を含む、非一時的なコンピュータ可読媒体であって、
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第２のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第１のハイブリッドの第２の入力に結合される、
を備える非一時的なコンピュータ可読媒体。
［Ｃ３９］
コンピュータによって実行されたとき、前記コンピュータに信号をデバイスに供給させる命令を含む、非一時的なコンピュータ可読媒体であって、
第１の対の入力信号を介して受信された電力を分割することに基づいて第１の対の出力信号を生成するように構成された第１のハイブリッドと、ここにおいて、前記第１のハイブリッドの第１の入力は第１の増幅器の出力に結合される、およびここにおいて、前記第１の増幅器は前記第１の入力信号を受信するように構成される、
第２の対の入力信号を介して受信された電力を分割することに基づいて第２の対の出力信号を生成するように構成された第２のハイブリッドと、ここにおいて、前記第２のハイブリッドの第１の入力は第２の増幅器の出力に結合される、およびここにおいて、前記第２の増幅器は前記第２の入力信号を受信するように構成される、
前記第１の入力信号を受信し、前記第１の入力信号の位相から第１の量だけ移相された第１の移相信号を出力するように構成された第１の移相器と、ここにおいて、前記第１の移相器の出力は第３の増幅器の入力に結合される、およびここにおいて、前記第３の増幅器の出力は前記第１のハイブリッドの第２の入力に結合される、
前記第２の入力信号を受信し、前記第２の入力信号の位相から第２の量だけ移相された第２の移相信号を出力するように構成された第２の移相器と、ここにおいて、前記第２の移相器の出力は第４の増幅器の入力に結合される、およびここにおいて、前記第４の増幅器の出力は前記第２のハイブリッドの第２の入力に結合される、
を備える非一時的なコンピュータ可読媒体。
【図１】
0005940737.tif 000004
【図２】
0005940737.tif 000005
【図３】
0005940737.tif 000006
【図４】
0005940737.tif 000007
【図５】
0005940737.tif 000008
【図６】
0005940737.tif 000009
【図７】
0005940737.tif 000010